(57)【要約】【課題】端末装置と基地局装置が効率的に通信を行うこと。【解決手段】無線通信システムにおいて、基地局装置と端末装置が、効率的に端末装置、基地局装置、通信方法、および、集積回路を提供することを目的とし、サウンディング参照信号のパラメータと送信電力制御に適用するパラメータを含む上位レイヤ設定を受信し、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメータに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い、サウンディング参照信号を送信する。【選択図】図９
2020136759.tif 000002
【特許請求の範囲】
【請求項１】
端末装置の通信方法であって、
サウンディング参照信号のパラメータと送信電力制御に適用するパラメータを含む上位レイヤ設定を受信し、
一つまたは複数のパスロスリファレンス参照信号のパラメータが送信電力制御に適用するパラメータに含まれ、
パネルIDとサウンディング参照信号リソースセットIDとサウンディング参照信号リソースIDの少なくとも1つがサウンディング参照信号のパラメータに含まれ、
前記パネルIDと前記サウンディング参照信号リソースIDの組み合わせによりパスロスリファレンス参照信号を特定し、
前記パスロスリファレンス参照信号を用いて下りリンクパスロス見積もりを算出し、サウンディング参照信号の電力制御を行い、サウンディング参照信号を送信する、
通信方法。
【請求項２】
前記パスロスリファレンス参照信号は、受信した上位レイヤ設定にパネルIDに関する情報を含まない場合に、サウンディング参照信号リソースセットIDにより特定され、
前記パスロスリファレンス参照信号を用いて下りリンクパスロス見積もりを算出し、電力制御を行い、サウンディング参照信号を送信する、
請求項１に記載の通信方法。
【請求項３】
基地局装置の通信方法であって、
端末装置にサウンディング参照信号のパラメータと送信電力制御に適用するパラメータを含む上位レイヤ設定を送信し、
一つまたは複数のパスロスリファレンス参照信号のパラメータが送信電力制御に適用するパラメータに含まれ、
パネルIDとサウンディング参照信号リソースセットIDとサウンディング参照信号リソースIDの少なくとも1つがサウンディング参照信号のパラメータに含まれ、
前記パネルIDと前記サウンディング参照信号リソースIDの組み合わせによりパスロスリファレンス参照信号を特定し、
前記パスロスリファレンス参照信号を用いて下りリンクパスロス見積もりを算出し、サウンディング参照信号の電力制御を行い送信される、サウンディング参照信号を受信する、
通信方法。
【請求項４】
端末装置であって、
サウンディング参照信号のパラメータと送信電力制御に適用するパラメータを含む上位レイヤ設定を受信する受信部と、
一つまたは複数のパスロスリファレンス参照信号のパラメータが送信電力制御に適用するパラメータに含まれ、
パネルIDとサウンディング参照信号リソースセットIDとサウンディング参照信号リソースIDの少なくとも1つがサウンディング参照信号のパラメータに含まれ、
前記パネルIDと前記サウンディング参照信号リソースIDの組み合わせによりパスロスリファレンス参照信号を特定し、
前記パスロスリファレンス参照信号を用いて下りリンクパスロス見積もりを算出し、サウンディング参照信号の電力制御を行い、サウンディング参照信号を送信する送信部と、を備える、
端末装置。
【請求項５】
基地局装置であって、
端末装置にサウンディング参照信号のパラメータと送信電力制御に適用するパラメータを含む上位レイヤ設定を送信する送信部と、
一つまたは複数のパスロスリファレンス参照信号のパラメータが送信電力制御に適用するパラメータに含まれ、
パネルIDとサウンディング参照信号リソースセットIDとサウンディング参照信号リソースIDの少なくとも1つがサウンディング参照信号のパラメータに含まれ、
前記パネルIDと前記サウンディング参照信号リソースIDの組み合わせによりパスロスリファレンス参照信号を特定し、
前記パスロスリファレンス参照信号を用いて下りリンクパスロス見積もりを算出し、サウンディング参照信号の電力制御を行い送信される、サウンディング参照信号を受信する受信部と、を備える、
基地局装置。
【請求項６】
端末装置に実装される集積回路であって、
サウンディング参照信号のパラメータと送信電力制御に適用するパラメータを含む上位レイヤ設定を受信する受信手段と、
一つまたは複数のパスロスリファレンス参照信号のパラメータが送信電力制御に適用するパラメータに含まれ、
パネルIDとサウンディング参照信号リソースセットIDとサウンディング参照信号リソースIDの少なくとも1つがサウンディング参照信号のパラメータに含まれ、
前記パネルIDと前記サウンディング参照信号リソースIDの組み合わせによりパスロスリファレンス参照信号を特定し、
前記パスロスリファレンス参照信号を用いて下りリンクパスロス見積もりを算出し、サウンディング参照信号の電力制御を行い、サウンディング参照信号を送信する送信手段と、を備える、
集積回路。
【請求項７】
基地局装置に実装される集積回路であって、
端末装置にサウンディング参照信号のパラメータと送信電力制御に適用するパラメータを含む上位レイヤ設定を送信する送信手段と、
一つまたは複数のパスロスリファレンス参照信号のパラメータが送信電力制御に適用するパラメータに含まれ、
パネルIDとサウンディング参照信号リソースセットIDとサウンディング参照信号リソースIDの少なくとも1つがサウンディング参照信号のパラメータに含まれ、
前記パネルIDと前記サウンディング参照信号リソースIDの組み合わせによりパスロスリファレンス参照信号を特定し、
前記パスロスリファレンス参照信号を用いて下りリンクパスロス見積もりを算出し、サウンディング参照信号の電力制御を行い送信される、サウンディング参照信号を受信する受信手段と、を備える、
集積回路。
【発明の詳細な説明】
【技術分野】
【０００１】
本発明は、基地局装置、端末装置、通信方法、および、集積回路に関する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、LTE（Long Term Evolution）-Advanced Pro及びNR（New Radio technology）の技術検討及び規格策定が行われている（非特許文献１）。
【０００３】
第５世代のセルラーシステムでは、高速・大容量伝送を実現するeMBB（enhanced Mobile BroadBand）、低遅延・高信頼通信を実現するURLLC（Ultra-Reliable and Low Latency Communication）、IoT（Internet of Things）などマシン型デバイスが多数接続するmMTC（massive Machine Type Communication）の3つがサービスの想定シナリオとして要求されている。
【先行技術文献】
【非特許文献】
【０００４】
【非特許文献１】RP-161214, NTT DOCOMO, “Revision of SI: Study on New Radio Access Technology”, 2016年6月
【発明の概要】
【発明が解決しようとする課題】
【０００５】
本発明の目的は、上記のような無線通信システムにおいて、効率的な通信を可能とする端末装置、基地局装置、通信方法、および、集積回路を提供することを目的とする。
【課題を解決するための手段】
【０００６】
（１）上記の目的を達成するために、本発明の態様は、以下のような手段を講じた。すなわち、本発明の一態様における通信方法は、端末装置の通信方法であって、サウンディング参照信号のパラメータと送信電力制御に適用するパラメータを含む上位レイヤ設定を受信し、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメー
タに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い、サウンディング参照信号を送信する。
【０００７】
（２）また、本発明の一態様における通信方法は、第１の様態における通信方法に加え、前記空間関係情報は、前記パスロスリファレンス参照信号は、受信した上位レイヤ設定にパネルIDに関する情報を含まない場合に、サウンディング参照信号リソースセットIDにより特定され、前記パスロスリファレンス参照信号を用いて下りリンクパスロス見積もりを算出し、電力制御を行い、サウンディング参照信号を送信する。
【０００８】
（３）また、本発明の一態様における通信方法は、基地局装置の通信方法であって、端末装置にサウンディング参照信号のパラメータと送信電力制御に適用するパラメータを含む上位レイヤ設定を送信し、一つまたは複数のパスロスリファレンス参照信号のパラメータが送信電力制御に適用するパラメータに含まれ、パネルIDとサウンディング参照信号リ
ソースセットIDとサウンディング参照信号リソースIDの少なくとも1つがサウンディング
参照信号のパラメータに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い送信される、サウンディング参照信号を受信する。
【０００９】
（４）また、本発明の一態様における端末装置は、サウンディング参照信号のパラメータと送信電力制御に適用するパラメータを含む上位レイヤ設定を受信する受信部と、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメータに含まれ、
前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い、サウンディング参照信号を送信する送信部と、を備える。
【００１０】
（５）また、本発明の一態様における基地局装置は、端末装置にサウンディング参照信号のパラメータと送信電力制御に適用するパラメータを含む上位レイヤ設定を送信する送信部と、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメータに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い送信される、サウンディング参照信号を受信する受信部と、を備える。
【００１１】
（６）また、本発明の一態様における集積回路は、端末装置に実装される集積回路であって、サウンディング参照信号のパラメータと送信電力制御に適用するパラメータを含む上位レイヤ設定を受信する受信手段と、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメータに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い、サウンディング参照信号を送信する送信手段と、を備える。
【００１２】
（７）また、本発明の一態様における集積回路は、基地局装置に実装される集積回路であって、端末装置にサウンディング参照信号のパラメータと送信電力制御に適用するパラメータを含む上位レイヤ設定を送信する送信手段と、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメータに含まれ、前記パネルIDと前記サウンディ
ング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い送信される、サウンディング参照信号を受信する受信手段と、を備える。
【発明の効果】
【００１３】
この発明によれば、基地局装置と端末装置が、効率的に通信することができる。
【図面の簡単な説明】
【００１４】
【図１】本発明の実施形態に係る無線通信システムの概念を示す図である。
【図２】本発明の実施形態に係るＳＳ／ＰＢＣＨブロックおよびＳＳバーストセットの例を示す図である。
【図３】本発明の実施形態に係る上りリンクおよび下りリンクスロットの概略構成の一例を示す図である。
【図４】本発明の実施形態に係るサブフレーム、スロット、ミニスロットの時間領域における関係を示した図である。
【図５】本発明の実施形態に係るスロットまたはサブフレームの一例を示す図である。
【図６】本発明の実施形態に係るビームフォーミングの一例を示した図である。
【図７】本発明の実施形態に係るＳＲＳリソースの一例を示した図である。
【図８】本発明の実施形態に係るＳＲＳ設定の一例を示す図である。
【図９】本発明の実施形態に係る端末装置１の構成を示す概略ブロック図である。
【図１０】本発明の実施形態に係る基地局装置３の構成を示す概略ブロック図である。
【発明を実施するための形態】
【００１５】
以下、本発明の実施形態について説明する。
【００１６】
図１は、本実施形態における無線通信システムの概念図である。図１において、無線通信システムは、端末装置１Ａ、端末装置１Ｂ、および基地局装置３を具備する。以下、端末装置１Ａ、および、端末装置１Ｂを、端末装置１とも称する。
【００１７】
端末装置１は、ユーザ端末、移動局装置、通信端末、移動機、端末、ＵＥ（User Equipment）、ＭＳ（Mobile Station）とも称される。基地局装置３は、無線基地局装置、基地局、無線基地局、固定局、ＮＢ（Node B）、ｅＮＢ（evolved Node B）、ＢＴＳ（Base Transceiver Station）、ＢＳ（Base Station）、ＮＲ  ＮＢ（NR Node B）、ＮＮＢ、ＴＲＰ（Transmission and Reception Point）、ｇＮＢとも称される。基地局装置３は、コアネットワーク装置を含んでも良い。また、基地局装置３は、１つまたは複数の送受信点４（ｔｒａｎｓｍｉｓｓｉｏｎ  ｒｅｃｅｐｔｉｏｎ  ｐｏｉｎｔ）を具備しても良い。以下で説明する基地局装置３の機能／処理の少なくとも一部は、該基地局装置３が具備する各々の送受信点４における機能／処理であってもよい。基地局装置３は、基地局装置３によって制御される通信可能範囲（通信エリア）を１つまたは複数のセルとして端末装置１をサーブしてもよい。また、基地局装置３は、１つまたは複数の送受信点４によって制御される通信可能範囲（通信エリア）を１つまたは複数のセルとして端末装置１をサーブしてもよい。また、１つのセルを複数の部分領域（Ｂｅａｍｅｄ  ａｒｅａ）にわけ、それぞれの部分領域において端末装置１をサーブしてもよい。ここで、部分領域は、ビームフォーミングで使用されるビームのインデックスあるいはプリコーディングのインデックスに基づいて識別されてもよい。
【００１８】
基地局装置３から端末装置１への無線通信リンクを下りリンクと称する。端末装置１から基地局装置３への無線通信リンクを上りリンクと称する。
【００１９】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００２０】
また、図１において、端末装置１と基地局装置３の間の無線通信では、ユニバーサルフィルタマルチキャリア（UFMC: Universal-Filtered Multi-Carrier）、フィルタＯＦＤＭ（F-OFDM: Filtered OFDM）、窓関数が乗算されたＯＦＤＭ（Windowed OFDM）、フィルタバンクマルチキャリア（FBMC: Filter-Bank Multi-Carrier）が用いられてもよい。
【００２１】
なお、本実施形態ではＯＦＤＭを伝送方式としてＯＦＤＭシンボルで説明するが、上述の他の伝送方式の場合を用いた場合も本発明に含まれる。
【００２２】
また、図１において、端末装置１と基地局装置３の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２３】
本実施形態の一態様は、ＬＴＥやＬＴＥ−Ａ／ＬＴＥ−Ａ  Ｐｒｏといった無線アクセス技術（RAT: Radio Access Technology）とのキャリアアグリゲーションまたはデュアルコネクティビティにおいてオペレーションされてもよい。このとき、一部またはすべてのセルまたはセルグループ、キャリアまたはキャリアグループ（例えば、プライマリセル（PCell: Primary Cell）、セカンダリセル（SCell: Secondary Cell）、プライマリセカンダリセル（PSCell）、ＭＣＧ（Master Cell Group）、ＳＣＧ（Secondary Cell Group）など）で用いられてもよい。また、単独でオペレーションするスタンドアローンで用いられてもよい。デュアルコネクティビティオペレーションにおいては、ＳｐＣｅｌｌ（Special Cell）は、ＭＡＣ（MAC: Medium Access Control）エンティティがＭＣＧに関連付けられているか、ＳＣＧに関連付けられているかに応じて、それぞれ、ＭＣＧのPCellまたは、SCGのPSCellと称する。デュアルコネクティビティオペレーションでなければ、ＳｐＣｅｌｌ（Special Cell）は、PCellと称する。ＳｐＣｅｌｌ（Special Cell）は、ＰＵＣＣＨ送信と、競合ベースランダムアクセスをサポートする。
【００２４】
本実施形態では、端末装置１に対して１つまたは複数のサービングセルが設定されてもよい。設定された複数のサービングセルは、１つのプライマリセルと１つまたは複数のセカンダリセルとを含んでもよい。プライマリセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリセルと指示されたセルであってもよい。ＲＲＣ（Radio Resource Control）コネクションが確立された時点、または、後に、１つまたは複数のセカンダリセルが設定されてもよい。ただし、設定された複数のサービングセルは、１つのプライマリセカンダリセルを含んでもよい。プライマリセカンダリセルは、端末装置１が設定された１つまたは複数のセカンダリセルのうち、上りリンクにおいて制御情報を送信可能なセカンダリセルであってもよい。また、端末装置１に対して、マスターセルグループとセカンダリセルグループの２種類のサービングセルのサブセットが設定されてもよい。マスターセルグループは１つのプライマリセルと０個以上のセカンダリセルで構成されてもよい。セカンダリセルグループは１つのプライマリセカンダリセルと０個以上のセカンダリセルで構成されてもよい。
【００２５】
本実施形態の無線通信システムは、ＴＤＤ（Time Division Duplex）および／またはＦＤＤ（Frequency Division Duplex）が適用されてよい。複数のセルの全てに対してＴＤ
Ｄ（Time Division Duplex）方式またはＦＤＤ（Frequency Division Duplex）方式が適
用されてもよい。また、ＴＤＤ方式が適用されるセルとＦＤＤ方式が適用されるセルが集約されてもよい。
【００２６】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００２７】
本実施形態の物理チャネルおよび物理信号について説明する。
【００２８】
図１において、端末装置１と基地局装置３の無線通信では、以下の物理チャネルが用いられる。
・ＰＢＣＨ（Physical Broadcast CHannel）
・ＰＤＣＣＨ（Physical Downlink Control CHannel）
・ＰＤＳＣＨ（Physical Downlink Shared CHannel）
・ＰＵＣＣＨ（Physical Uplink Control CHannel）
・ＰＵＳＣＨ（Physical Uplink Shared CHannel）
・ＰＲＡＣＨ（Physical Random Access CHannel）
ＰＢＣＨは、端末装置１が必要な重要なシステム情報を含む重要情報ブロック（MIB: Master Information Block、EIB: Essential Information Block、ＢＣＨ：Broadcast Channel）を報知するために用いられる。
【００２９】
また、ＰＢＣＨ（物理報知チャネルとも称する）は、同期信号のブロック（ＳＳ／ＰＢＣＨブロックとも称する）の周期内の時間インデックスを報知するために用いられてよい。ここで、時間インデックスは、セル内の同期信号およびＰＢＣＨのインデックスを示す情報である。例えば、３つの送信ビーム（送信フィルタ設定、受信空間パラメータに関する擬似同位置（ＱＣＬ：Quasi Co-Location））の想定を用いてＳＳ／ＰＢＣＨブロックを送信する場合、予め定められた周期内または設定された周期内の時間順を示してよい。また、端末装置は、時間インデックスの違いを送信ビームの違いと認識してもよい。同期信号のブロックには、プライマリ同期信号とセカンダリ同期信号、物理報知チャネル、物理報知チャネルを復調するための参照信号、を含んでよい。プライマリ同期信号およびセカンダリ同期信号、物理報知チャネルを復調するための参照信号については後述する。
【００３０】
ＰＤＣＣＨは、下りリンクの無線通信（基地局装置３から端末装置１への無線通信）において、下りリンク制御情報（Downlink Control Information: DCI）を送信する（また
は運ぶ）ために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３１】
例えば、以下のＤＣＩフォーマットが定義されてよい。
【００３２】
・ＤＣＩフォーマット０＿０
・ＤＣＩフォーマット０＿１
・ＤＣＩフォーマット１＿０
・ＤＣＩフォーマット１＿１
・ＤＣＩフォーマット２＿０
・ＤＣＩフォーマット２＿１
・ＤＣＩフォーマット２＿２
・ＤＣＩフォーマット２＿３
ＤＣＩフォーマット０＿０は、ＰＵＳＣＨのスケジューリング情報（周波数領域リソース割当及び時間領域リソース割当）を示す情報を含んでよい。
【００３３】
ＤＣＩフォーマット０＿１は、ＰＵＳＣＨのスケジューリング情報（周波数領域リソース割当及び時間領域リソース割当）を示す情報、帯域部分（ＢＷＰ：BandWidth Part）を示す情報、チャネル状態情報（ＣＳＩ：Channel State Information）リクエスト、サウ
ンディング参照信号（ＳＲＳ：Sounding Reference Signal）リクエスト、アンテナポー
トに関する情報を含んでよい。
【００３４】
ＤＣＩフォーマット１＿０は、ＰＤＳＣＨのスケジューリング情報（周波数領域リソース割当及び時間領域リソース割当）を示す情報を含んでよい。
【００３５】
ＤＣＩフォーマット１＿１は、ＰＤＳＣＨのスケジューリング情報（周波数領域リソース割当及び時間領域リソース割当）を示す情報、帯域部分（ＢＷＰ）を示す情報、送信設定指示（ＴＣＩ：Transmission Configuration Indication）、アンテナポートに関する
情報を含んでよい。
【００３６】
ＤＣＩフォーマット２＿０は、１つまたは複数のスロットのスロットフォーマットを通知するために用いられる。スロットフォーマットは、スロット内の各ＯＦＤＭシンボルが下りリンク、フレキシブル、上りリンクのいずれかに分類されたものとして定義される。例えば、スロットフォーマットが２８の場合、スロットフォーマット２８が指示されたスロット内の１４シンボルのＯＦＤＭシンボルに対してＤＤＤＤＤＤＤＤＤＤＤＤＦＵが適用される。ここで、Ｄが下りリンクシンボル、Ｆがフレキシブルシンボル、Ｕが上りリンクシンボルである。なお、スロットについては後述する。
【００３７】
ＤＣＩフォーマット２＿１は、端末装置１に対して、送信がないと想定してよい物理リソースブロックとＯＦＤＭシンボルを通知するために用いられる。なお、この情報はプリエンプション指示（間欠送信指示）と称してよい。
【００３８】
ＤＣＩフォーマット２＿２は、ＰＵＳＣＨおよびＰＵＳＣＨのための送信電力制御（ＴＰＣ：Transmit Power Control）コマンドの送信のために用いられる。
【００３９】
ＤＣＩフォーマット２＿３は、１または複数の端末装置１によるサウンディング参照信号（ＳＲＳ）送信のためのＴＰＣコマンドのグループを送信するために用いられる。また、ＴＰＣコマンドとともに、ＳＲＳリクエストが送信されてもよい。また、ＤＣＩフォーマット２＿３に、ＰＵＳＣＨおよびＰＵＣＣＨのない上りリンク、またはＳＲＳの送信電力制御がＰＵＳＣＨの送信電力制御と紐付いていない上りリンクのために、ＳＲＳリクエストとＴＰＣコマンドが定義されてよい。
【００４０】
下りリンクに対するＤＣＩを、下りリンクグラント（downlink grant）、または、下りリンクアサインメント（downlink assignment）とも称する。ここで、上りリンクに対す
るＤＣＩを、上りリンクグラント（uplink grant）、または、上りリンクアサインメント（Uplink assignment）とも称する。
【００４１】
ＰＵＣＣＨは、上りリンクの無線通信（端末装置１から基地局装置３の無線通信）において、上りリンク制御情報（Uplink Control Information: UCI）を送信するために用い
られる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH）に対するＨＡＲＱ−ＡＣＫを示してもよい。
【００４２】
ＰＤＳＣＨは、媒介アクセス（MAC: Medium Access Control）層からの下りリンクデータ（DL-SCH: Downlink Shared CHannel）の送信に用いられる。また、下りリンクの場合
にはシステム情報（SI: System Information）やランダムアクセス応答（RAR: Random Access Response）などの送信にも用いられる。
【００４３】
ＰＵＳＣＨは、ＭＡＣ層からの上りリンクデータ（UL-SCH: Uplink Shared CHannel）
または上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４４】
ここで、基地局装置３と端末装置１は、上位層（上位レイヤ：higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（上位レイヤ信号：higher layer signaling）とも称する。ここでの上位層は、物理層から見た上位層を意味するため、ＭＡＣ層、ＲＲＣ層、ＲＬＣ層、ＰＤＣＰ層、ＮＡＳ（Non Access Stratum）層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００４５】
ＰＤＳＣＨまたはＰＵＳＣＨは、ＲＲＣシグナリング、および、ＭＡＣコントロールエレメントを送信するために用いられてもよい。ここで、ＰＤＳＣＨにおいて、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）で
あってもよい。すなわち、端末装置固有（ＵＥスペシフィック）の情報は、ある端末装置１に対して専用のシグナリングを用いて送信されてもよい。また、ＰＵＳＣＨは、上りリンクにおいてＵＥの能力（UE Capability）の送信に用いられてもよい。
【００４６】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
同期信号は、プライマリ同期信号（ＰＳＳ：Primary Synchronization Signal）およびセカンダリ同期信号（ＳＳＳ）を含んでよい。ＰＳＳとＳＳＳを用いてセルＩＤが検出されてよい。
【００４７】
同期信号は、端末装置１が下りリンクの周波数領域および時間領域の同期をとるために用いられる。ここで、同期信号は、端末装置１が基地局装置３によるプリコーディングまたはビームフォーミングにおけるプリコーディングまたはビームの選択に用いられて良い
。なお、ビームは、送信または受信フィルタ設定、あるいは空間ドメイン送信フィルタまたは空間ドメイン受信フィルタと呼ばれてもよい。
【００４８】
参照信号は、端末装置１が物理チャネルの伝搬路補償を行うために用いられる。ここで、参照信号は、端末装置１が下りリンクのＣＳＩを算出するためにも用いられてよい。また、参照信号は、無線パラメータやサブキャリア間隔などのヌメロロジーやＦＦＴの窓同期などができる程度の細かい同期（Fine synchronization）に用いられて良い。
【００４９】
本実施形態において、以下の下りリンク参照信号のいずれか１つまたは複数が用いられる。
【００５０】
・ＤＭＲＳ（Demodulation Reference Signal）
・ＣＳＩ−ＲＳ（Channel State Information Reference Signal）
・ＰＴＲＳ（Phase Tracking Reference Signal）
・ＴＲＳ（Tracking Reference Signal）
ＤＭＲＳは、変調信号を復調するために使用される。なお、ＤＭＲＳには、ＰＢＣＨを復調するための参照信号と、ＰＤＳＣＨを復調するための参照信号の２種類が定義されてもよいし、両方をＤＭＲＳと称してもよい。ＣＳＩ−ＲＳは、チャネル状態情報（ＣＳＩ：Channel State Information）の測定およびビームマネジメントに使用され、周期的またはセミパーシステントまたは非周期のＣＳＩ参照信号の送信方法が適用される。ＣＳＩ−ＲＳには、ノンゼロパワー（ＮＺＰ：Ｎｏｎ−Ｚｅｒｏ  Ｐｏｗｅｒ）ＣＳＩ−ＲＳと、送信電力（または受信電力）がゼロである（ゼロパワー（ＺＰ：Ｚｅｒｏ  Ｐｏｗｅｒ）ＣＳＩ−ＲＳが定義されてよい。ここで、ＺＰ  ＣＳＩ−ＲＳは送信電力がゼロまたは送信されないＣＳＩ−ＲＳリソースと定義されてよい。ＰＴＲＳは、位相雑音に起因する周波数オフセットを保証する目的で、時間軸で位相をトラックするために使用される。ＴＲＳは、高速移動時におけるドップラーシフトを保証するために使用される。なお、ＴＲＳはＣＳＩ−ＲＳの１つの設定として用いられてよい。例えば、１ポートのＣＳＩ−ＲＳがＴＲＳとして無線リソースが設定されてもよい。
【００５１】
本実施形態において、以下の上りリンク参照信号のいずれか１つまたは複数が用いられる。
【００５２】
・ＤＭＲＳ（Demodulation Reference Signal）
・ＰＴＲＳ（Phase Tracking Reference Signal）
・ＳＲＳ（Sounding Reference Signal）
ＤＭＲＳは、変調信号を復調するために使用される。なお、ＤＭＲＳには、ＰＵＣＣＨを復調するための参照信号と、ＰＵＳＣＨを復調するための参照信号の２種類が定義されてもよいし、両方をＤＭＲＳと称してもよい。ＳＲＳは、上りリンクチャネル状態情報（ＣＳＩ）の測定、チャネルサウンディング、およびビームマネジメントに使用される。ＰＴＲＳは、位相雑音に起因する周波数オフセットを保証する目的で、時間軸で位相をトラックするために使用される。
【００５３】
下りリンク物理チャネルおよび／または下りリンク物理シグナルを総称して、下りリンク信号と称する。上りリンク物理チャネルおよび／または上りリンク物理シグナルを総称して、上りリンク信号と称する。下りリンク物理チャネルおよび／または上りリンク物理チャネルを総称して、物理チャネルと称する。下りリンク物理シグナルおよび／または上りリンク物理シグナルを総称して、物理シグナルと称する。
【００５４】
ＢＣＨ、ＵＬ−ＳＣＨおよびＤＬ−ＳＣＨは、トランスポートチャネルである。媒体アクセス制御（ＭＡＣ：Medium Access Control）層で用いられるチャネルをトランスポー
トチャネルと称する。ＭＡＣ層で用いられるトランスポートチャネルの単位を、トランスポートブロック（ＴＢ：transport block）および／またはＭＡＣ  ＰＤＵ（Protocol Data Unit）とも称する。ＭＡＣ層においてトランスポートブロック毎にＨＡＲＱ（Hybrid Automatic Repeat reQuest）の制御が行われる。トランスポートブロックは、ＭＡＣ層が物理層に渡す（deliver）データの単位である。物理層において、トランスポートブロックはコードワードにマップされ、コードワード毎に符号化処理が行われる。
【００５５】
図２は、本実施形態に係るＳＳ／ＰＢＣＨブロック（同期信号ブロック、ＳＳブロック、ＳＳＢとも称される）およびＳＳバーストセット（同期信号バーストセットとも称される）の例を示す図である。図２は、周期的に送信されるＳＳバーストセット内に２つのＳＳ／ＰＢＣＨブロックが含まれ、ＳＳ／ＰＢＣＨブロックは、４ＯＦＤＭシンボルで構成される例を示している。
【００５６】
ＳＳ／ＰＢＣＨブロックは、少なくとも同期信号（ＰＳＳ、ＳＳＳ）、および／またはＰＢＣＨを含む単位ブロックである。ＳＳ／ＰＢＣＨブロックに含まれる信号／チャネルを送信することを、ＳＳ／ＰＢＣＨブロックを送信すると表現する。基地局装置３はＳＳバーストセット内の１つまたは複数のＳＳ／ＰＢＣＨブロックを用いて同期信号および／またはＰＢＣＨを送信する場合に、ＳＳ／ＰＢＣＨブロック毎に独立した下りリンク送信ビームを用いてもよい。
【００５７】
図２において、１つのＳＳ／ＰＢＣＨブロックにはＰＳＳ、ＳＳＳ、ＰＢＣＨが時間／周波数多重されている。ただし、ＰＳＳ、ＳＳＳおよび／またはＰＢＣＨが時間領域で多重される順番は図２に示す例と異なってもよい。
【００５８】
ＳＳバーストセットは、周期的に送信されてよい。例えば、初期アクセスに使用されるための周期と、接続されている（ConnectedまたはRRC_Connected）端末装置のために設定する周期が定義されてもよい。また、接続されている（ConnectedまたはRRC_Connected）端末装置のために設定する周期はＲＲＣ層で設定されてよい。また、接続されている（ConnectedまたはRRC_Connected）端末のために設定する周期は潜在的に送信する可能性がある時間領域の無線リソースの周期であって、実際には基地局装置３が送信するかどうかを決めてもよい。また、初期アクセスに使用されるための周期は、仕様書などに予め定義されてよい。
【００５９】
ＳＳバーストセットは、システムフレーム番号（ＳＦＮ：System Frame Number）に基
づいて決定されてよい。また、ＳＳバーストセットの開始位置（バウンダリ）は、ＳＦＮと周期に基づいて決定されてよい。
【００６０】
ＳＳ／ＰＢＣＨブロックは、ＳＳバーストセット内の時間的な位置に応じてＳＳＢインデックス（ＳＳＢ／ＰＢＣＨブロックインデックスと称されてもよい）が割り当てられる。端末装置１は、検出したＳＳ／ＰＢＣＨブロックに含まれるＰＢＣＨの情報および／または参照信号の情報に基づいてＳＳＢインデックスを算出する。
【００６１】
複数のＳＳバーストセットにおける各ＳＳバーストセット内における相対的な時間が同じＳＳ／ＰＢＣＨブロックは、同じＳＳＢインデックスが割り当てられる。複数のＳＳバーストセットにおける各ＳＳバーストセット内における相対的な時間が同じＳＳ／ＰＢＣＨブロックは、ＱＣＬである（あるいは同じ下りリンク送信ビームが適用されている）と想定されてもよい。また、複数のＳＳバーストセットにおける各ＳＳバーストセット内における相対的な時間が同じＳＳ／ＰＢＣＨブロックにおけるアンテナポートは、平均遅延、ドップラーシフト、空間相関に関してＱＣＬであると想定されてもよい。
【００６２】
あるＳＳバーストセットの周期内で、同じＳＳＢインデックスが割り当てられているＳＳ／ＰＢＣＨブロックは、平均遅延、平均ゲイン、ドップラースプレッド、ドップラーシフト、空間相関に関してＱＣＬであると想定されてもよい。ＱＣＬである１つまたは複数のＳＳ／ＰＢＣＨブロック（あるいは参照信号であってもよい）に対応する設定をＱＣＬ設定と称してもよい。
【００６３】
ＳＳ／ＰＢＣＨブロック数（ＳＳブロック数あるいはＳＳＢ数と称されてもよい）は、例えばＳＳバースト、またはＳＳバーストセット内、またはＳＳ／ＰＢＣＨブロックの周期の中のＳＳ／ＰＢＣＨブロック数（個数）として定義されてよい。また、ＳＳ／ＰＢＣＨブロック数は、ＳＳバースト内、またはＳＳバーストセット内、またはＳＳ／ＰＢＣＨブロックの周期の中のセル選択のためのビームグループの数を示してもよい。ここで、ビームグループは、ＳＳバースト内、またはＳＳバーストセット内、またはＳＳ／ＰＢＣＨブロックの周期の中に含まれる異なるＳＳ／ＰＢＣＨブロックの数または異なるビームの数として定義されてよい。
【００６４】
以下、本実施形態で説明する参照信号は、下りリンク参照信号、同期信号、ＳＳ／ＰＢＣＨブロック、下りリンクＤＭＲＳ、ＣＳＩ−ＲＳ、上りリンク参照信号、ＳＲＳ、および／または、上りリンクＤＭＲＳを含む。例えば、下りリンク参照信号、同期信号および／またはＳＳ／ＰＢＣＨブロックを参照信号と称してもよい。下りリンクで使用される参照信号は、下りリンク参照信号、同期信号、ＳＳ／ＰＢＣＨブロック、下りリンクＤＭＲＳ、ＣＳＩ−ＲＳなどを含む。上りリンクで使用される参照信号は、上りリンク参照信号、ＳＲＳ、および／または、上りリンクＤＭＲＳなどを含む。
【００６５】
また、参照信号は、無線リソース測定（ＲＲＭ：Radio Resource Measurement）に用いられてよい。また、参照信号は、ビームマネジメントに用いられてよい。
【００６６】
ビームマネジメントは、送信装置（下りリンクの場合は基地局装置３であり、上りリンクの場合は端末装置１である）におけるアナログおよび／またはディジタルビームと、受信装置（下りリンクの場合は端末装置１、上りリンクの場合は基地局装置３である）におけるアナログおよび／またはディジタルビームの指向性を合わせ、ビーム利得を獲得するための基地局装置３および／または端末装置１の手続きであってよい。
【００６７】
なお、ビームペアリンクを構成、設定または確立する手続きとして、下記の手続きを含んでよい。
・ビーム選択（Beam selection）
・ビーム改善（Beam refinement）
・ビームリカバリ（Beam recovery）
例えば、ビーム選択は、基地局装置３と端末装置１の間の通信においてビームを選択する手続きであってよい。また、ビーム改善は、さらに利得の高いビームの選択、あるいは端末装置１の移動によって最適な基地局装置３と端末装置１の間のビームの変更をする手続きであってよい。ビームリカバリは、基地局装置３と端末装置１の間の通信において遮蔽物や人の通過などにより生じるブロッケージにより通信リンクの品質が低下した際にビームを再選択する手続きであってよい。
【００６８】
ビームマネジメントには、ビーム選択、ビーム改善が含まれてよい。ビームリカバリには、下記の手続きを含んでよい。
・ビーム失敗（beam failure）の検出
・新しいビームの発見
・ビームリカバリリクエストの送信
・ビームリカバリリクエストに対する応答のモニタ
例えば、端末装置１における基地局装置３の送信ビームを選択する際にＣＳＩ−ＲＳまたはＳＳ／ＰＢＣＨブロックに含まれるＳＳＳのＲＳＲＰ（Reference Signal Received Power）を用いてもよいし、ＣＳＩを用いてもよい。また、基地局装置３への報告として
ＣＳＩ−ＲＳリソースインデックス（ＣＲＩ：CSI-RS Resource Index）を用いてもよい
し、ＳＳ／ＰＢＣＨブロックに含まれるＰＢＣＨおよび／またはＰＢＣＨの復調に用いられる復調用参照信号（ＤＭＲＳ）の系列で指示されるインデックスを用いてもよい。
【００６９】
また、基地局装置３は、端末装置１へビームを指示する際にＣＲＩまたはＳＳ／ＰＢＣＨの時間インデックスを指示し、端末装置１は、指示されたＣＲＩまたはＳＳ／ＰＢＣＨの時間インデックスに基づいて受信する。このとき、端末装置１は指示されたＣＲＩまたはＳＳ／ＰＢＣＨの時間インデックスに基づいて空間フィルタを設定し、受信してよい。また、端末装置１は、疑似同位置（ＱＣＬ：Quasi Co-Location）の想定を用いて受信し
てもよい。ある信号（アンテナポート、同期信号、参照信号など）が別の信号（アンテナポート、同期信号、参照信号など）と「ＱＣＬである」または、「ＱＣＬの想定が用いられる」とは、ある信号が別の信号と関連付けられていると解釈できる。
【００７０】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００７１】
このＱＣＬは、ビームマネジメントにも拡張されうる。そのために、空間に拡張したＱＣＬが新たに定義されてもよい。例えば、空間ドメインのＱＣＬの想定におけるチャネルの長区間特性（Long term property）として、無線リンクあるいはチャネルにおける到来角（AoA（Angle of Arrival）, ZoA（Zenith angle of Arrival）など）および／または
角度広がり（Angle Spread、例えばASA（Angle Spread of Arrival）やZSA（Zenith angle Spread of Arrival））、送出角（AoD, ZoDなど）やその角度広がり（Angle Spread、例えばASD（Angle Spread of Departure）やZSD（Zenith angle Spread of Departure））、空間相関（Spatial Correlation）、受信空間パラメータであってもよい。
【００７２】
例えば、アンテナポート１とアンテナポート２の間で受信空間パラメータに関してＱＣＬであるとみなせる場合、アンテナポート１からの信号を受信する受信ビーム（受信空間フィルタ）からアンテナポート２からの信号を受信する受信ビームが推論されうることを意味する。
【００７３】
ＱＣＬタイプとして、ＱＣＬであるとみなしてよい長区間特性の組み合わせが定義されてよい。例えば、以下のタイプが定義されてよい。
【００７４】
・タイプＡ：ドップラーシフト、ドップラースプレッド、平均遅延、遅延スプレッド
・タイプＢ：ドップラーシフト、ドップラースプレッド
・タイプＣ：平均遅延、ドップラーシフト
・タイプＤ：受信空間パラメータ
上述のＱＣＬタイプは、ＲＲＣおよび／またはＭＡＣ層および／またはＤＣＩで１つまたは２つの参照信号とＰＤＣＣＨやＰＤＳＣＨ  ＤＭＲＳとのＱＣＬの想定を送信設定指示（ＴＣＩ：Transmission Configuration Indication）として設定および／または指示
してもよい。例えば、端末装置１がＰＤＣＣＨを受信する際のＴＣＩの１つの状態として、ＳＳ／ＰＢＣＨブロックのインデックス＃２とＱＣＬタイプＡ＋ＱＣＬタイプDが設定および／または指示された場合、端末装置１は、ＰＤＣＣＨ  ＤＭＲＳを受信する際、ＳＳ／ＰＢＣＨブロックインデックス＃２の受信におけるドップラーシフト、ドップラースプレッド、平均遅延、遅延スプレッド、受信空間パラメータとチャネルの長区間特性とみなしてＰＤＣＣＨのＤＭＲＳを受信して同期や伝搬路推定をしてもよい。このとき、ＴＣＩにより指示される参照信号（上述の例ではＳＳ／ＰＢＣＨブロック）をソース参照信号、ソース参照信号を受信する際のチャネルの長区間特性から推論される長区間特性の影響を受ける参照信号（上述の例ではＰＤＣＣＨ  ＤＭＲＳ）をターゲット参照信号と称してよい。また、ＴＣＩは、ＲＲＣで複数のＴＣＩ状態と各状態に対してソース参照信号とＱＣＬタイプの組み合わせが設定され、ＭＡＣ層またはＤＣＩにより端末装置１に指示されてよい。
【００７５】
この方法により、ビームマネジメントおよびビーム指示／報告として、空間ドメインのＱＣＬの想定と無線リソース（時間および／または周波数）によりビームマネジメントと等価な基地局装置３、端末装置１の動作が定義されてもよい。
【００７６】
以下、サブフレームについて説明する。本実施形態ではサブフレームと称するが、リソースユニット、無線フレーム、時間区間、時間間隔などと称されてもよい。
【００７７】
図３は、本発明の第１の実施形態に係る上りリンクおよび下りリンクスロットの概略構成の一例を示す図である。無線フレームのそれぞれは、１０ｍｓ長である。また、無線フレームのそれぞれは１０個のサブフレームおよびＷ個のスロットから構成される。また、１スロットは、Ｘ個のＯＦＤＭシンボルで構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。また、例えば、Ｘ＝１４の場合、サブキャリア間隔が１５ｋＨｚの場合はＷ＝１０であり、サブキャリア間隔が６０ｋＨｚの場合はＷ＝４０である。図３は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。また、図３のセルの帯域幅は帯域の一部（ＢＷＰ：BandWidth Part）として定義されてもよい。また、スロットは、送信時間間隔（ＴＴＩ：Transmission Time Interval）と定義されてもよい。スロットは、ＴＴＩとして定義されなくてもよい。ＴＴＩは、トランスポートブロックの送信期間であってもよい。
【００７８】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００７９】
リソースグリッドは、ある物理下りリンクチャネル（ＰＤＳＣＨなど）あるいは上りリンクチャネル（ＰＵＳＣＨなど）のリソースエレメントのマッピングを表現するために用いられる。例えば、サブキャリア間隔が１５ｋＨｚの場合、サブフレームに含まれるＯＦＤＭシンボル数Ｘ＝１４で、ＮＣＰの場合には、１つの物理リソースブロックは、時間領域において１４個の連続するＯＦＤＭシンボルと周波数領域において１２＊Ｎｍａｘ個の連続するサブキャリアとから定義される。Ｎｍａｘは、後述するサブキャリア間隔設定μにより決定されるリソースブロックの最大数である。つまり、リソースグリッドは、（１
４＊１２＊Ｎｍａｘ，μ）個のリソースエレメントから構成される。ＥＣＰ（Extended CP）の場合、サブキャリア間隔６０ｋＨｚにおいてのみサポートされ、１つの物理リソー
スブロックは、例えば、時間領域において１２（１スロットに含まれるＯＦＤＭシンボル数）＊４（１サブフレームに含まれるスロット数）＝４８個の連続するＯＦＤＭシンボルと、周波数領域において１２＊Ｎｍａｘ，μ個の連続するサブキャリアとにより定義される。つまり、リソースグリッドは、（４８＊１２＊Ｎｍａｘ，μ）個のリソースエレメントから構成される。
【００８０】
リソースブロックとして、共通リソースブロック、物理リソースブロック、仮想リソースブロックが定義される。１リソースブロックは、周波数領域で連続する１２サブキャリアとして定義される。共通リソースブロックインデックス０におけるサブキャリアインデックス０は、参照ポイントと称されてよい（ポイントＡと称されてもよい）。共通リソースブロックは、参照ポイントＡから各サブキャリア間隔設定μにおいて０から昇順で番号が付されるリソースブロックである。上述のリソースグリッドはこの共通リソースブロックにより定義される。物理リソースブロックは、後述する帯域部分（ＢＷＰ）の中に含まれる０から昇順で番号が付されたリソースブロックであり、物理リソースブロックは、帯域部分（ＢＷＰ）の中に含まれる０から昇順で番号が付されたリソースブロックである。ある物理上りリンクチャネルは、まず仮想リソースブロックにマップされる。その後、仮想リソースブロックは、物理リソースブロックにマップされる。
【００８１】
次に、サブキャリア間隔設定μについて説明する。上述のようにＮＲでは、複数のＯＦＤＭヌメロロジーがサポートされる。あるＢＷＰにおいて、サブキャリア間隔設定μ（μ＝０，１，．．．，５）と、サイクリックプレフィックス長は、下りリンクのＢＷＰに対して上位レイヤ（上位層）で与えられ、上りリンクのＢＷＰにおいて上位レイヤで与えられる。ここで、μが与えられると、サブキャリア間隔Δｆは、Δｆ＝２＾μ・１５（ｋＨｚ）で与えられる。
【００８２】
サブキャリア間隔設定μにおいて、スロットは、サブフレーム内で０からＮ^{subframe,μ}_{slot}-1に昇順に数えられ、フレーム内で０からＮ^{frame,μ}_{slot}-1に昇順に数えられる。スロット設定およびサイクリックプレフィックスに基づいてN^{slot}_{symb}の連続するＯＦＤＭシンボルがスロット内にある。N^{slot}_{symb}は１４である。サブフレーム内のスロットｎ^{μ}_{s}のスタートは、同じサブフレーム内のｎ^{μ}_{s} N^{slot}_{symb}番目のＯＦＤＭシンボルのスタートと時間でアラインされている。
【００８３】
次に、サブフレーム、スロット、ミニスロットについて説明する。図４は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。下りリンクスロットはＰＤＳＣＨマッピングタイプＡと称されてよい。上りリンクスロットはＰＵＳＣＨマッピングタイプＡと称されてよい。
【００８４】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。また、ミニスロットを割り当てることを、ノンスロットベースのスケジューリングと称してもよい。また、ミニスロットをスケジューリングされることを参照信号とデータのスタート位置の相対的な時間位置が固定であるリソースがスケジュールされたと表現されてもよい。下りリンクミニスロットはＰＤＳＣＨマッピングタイプＢと称されてよい。上りリンクミニスロットはＰＵＳＣＨマッピングタイプＢと称されてよい。
【００８５】
図５は、スロットフォーマットの一例を示す図である。ここでは、サブキャリア間隔１５ｋＨｚにおいてスロット長が１ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクシンボル
・フレキシブルシンボル
・上りリンクシンボル
のうち１つまたは複数を含んでよい。なお、これらの割合はスロットフォーマットとして予め定められてもよい。また、スロット内に含まれる下りリンクのＯＦＤＭシンボル数またはスロット内のスタート位置および終了位置で定義されてもよい。また、スロット内に含まれる上りリンクのＯＦＤＭシンボルまたはＤＦＴ−Ｓ−ＯＦＤＭシンボル数またはスロット内のスタート位置および終了位置で定義されてよい。なお、スロットをスケジューリングされることを参照信号とスロット境界の相対的な時間位置が固定であるリソースがスケジュールされたと表現されてもよい。
【００８６】
端末装置１は、下りリンクシンボルまたはフレキシブルシンボルで下りリンク信号または下りリンクチャネルを受信してよい。端末装置１は、上りリンクシンボルまたはフレキシブルシンボルで上りリンク信号または下りリンクチャネルを送信してよい。
【００８７】
図５（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図５（ｂ）は、最初の時間リソースで例えばＰＤＣＣＨを介して上りリンクのスケジューリングを行い、ＰＤＣＣＨの処理遅延及び下りから上りの切り替え時間、送信信号の生成を含むフレキシブルシンボルを介して上りリンク信号を送信する。図５（ｃ）は、最初の時間リソースでＰＤＣＣＨおよび／または下りリンクのＰＤＳＣＨの送信に用いられ、処理遅延及び下りから上りの切り替え時間、送信信号の生成のためのギャップを介してＰＵＳＣＨまたはＰＵＣＣＨの送信に用いられる。ここで、一例としては、上りリンク信号はＨＡＲＱ−ＡＣＫおよび／またはＣＳＩ、すなわちＵＣＩの送信に用いられてよい。図５（ｄ）は、最初の時間リソースでＰＤＣＣＨおよび／またはＰＤＳＣＨの送信に用いられ、処理遅延及び下りから上りの切り替え時間、送信信号の生成のためのギャップを介して上りリンクのＰＵＳＣＨおよび／またはＰＵＣＣＨの送信に用いられる。ここで、一例としては、上りリンク信号は上りリンクデータ、すなわちＵＬ−ＳＣＨの送信に用いられてもよい。図５（ｅ）は、全て上りリンク送信（ＰＵＳＣＨまたはＰＵＣＣＨ）に用いられている例である。
【００８８】
上述の下りリンクパート、上りリンクパートは、ＬＴＥと同様に複数のＯＦＤＭシンボルで構成されてよい。
【００８９】
図６は、ビームフォーミングの一例を示した図である。複数のアンテナエレメントは１つの送信ユニット（TXRU: Transceiver unit）５０に接続され、アンテナエレメント毎の位相シフタ５１によって位相を制御し、アンテナエレメント５２から送信することで送信信号に対して任意の方向にビームを向けることができる。典型的には、ＴＸＲＵがアンテナポートとして定義されてよい。位相シフタ５１を制御することで任意の方向に指向性を向けることができるため、基地局装置３は端末装置１に対して、端末装置１は基地局装置
３に対して、それぞれ利得の高いビームを用いて通信することができる。端末装置１および／または基地局装置３は多数の送信ユニットを備えることができる。さらに多数の端末装置１および／または基地局装置３は送信ユニットを複数のパネルに分けることができ、パネルごとに異なる送信および／または受信ビームを同じタイミングで適用することが可能となる。また、端末装置１が複数のパネルを備えている場合、前述のビームマネジメントはパネル毎の手続きであってよい。すなわち、基地局装置３は、端末装置１に対し参照信号とパネルとの対応付けを設定してもよい。
【００９０】
以下、帯域部分（ＢＷＰ）について説明する。ＢＷＰは、キャリアＢＷＰとも称される。ＢＷＰは、下りリンクと上りリンクのそれぞれに設定されてよい。ＢＷＰは、共通リソースブロックの連続するサブセットから選択された連続する物理リソースの集合として定義される。端末装置１は、ある時間に１つの下りリンクキャリアＢＷＰが活性化される４つまでのＢＷＰを設定されうる。端末装置１は、ある時間に１つの上りリンクキャリアＢＷＰが活性化される４つまでのＢＷＰを設定されうる。キャリアアグリゲーションの場合には、ＢＷＰは各サービングセルで設定されてもよい。このとき、あるサービングセルにおいてＢＷＰが１つ設定されていることを、ＢＷＰが設定されていないと表現されてもよい。また、ＢＷＰが２つ以上設定されていることをＢＷＰが設定されていると表現されてもよい。
＜ＭＡＣ  ｅｎｔｉｔｙ動作>
活性化されたサービングセルにおいて、常に一つのアクティブな（活性化された）ＢＷＰがある。あるサービングセルに対するＢＷＰ切り替え（BWP switching）は、インアク
ティブな（非活性化された）ＢＷＰを活性化（activate）し、アクティブな（活性化された）ＢＷＰを非活性化（deactivate）するために使用される。あるサービングセルに対するＢＷＰ切り替え（BWP switching）は、下りリンク割り当てまたは上りリンクグラント
を示すＰＤＣＣＨによって制御される。あるサービングセルに対するＢＷＰ切り替え（BWP switching）は、さらに、ＢＷＰインアクティブタイマー（BWP inactivity timer）や、ランダムアクセスプロシージャの開始時にＭＡＣエンティティ自身によって制御されてもよい。ＳｐＣｅｌｌ（PCellまたはPSCell）の追加または、ＳＣｅｌｌの活性化において、一つのＢＷＰが、下りリンク割り当てまたは上りリンクグラントを示すＰＤＣＣＨを受信することなしに初期的にアクティブである。初期的にアクティブなＢＷＰは、基地局装置３から端末装置１に送られるＲＲＣメッセージで指定されるかもしれない。あるサービングセルに対するアクティブなＢＷＰは、基地局装置３から端末装置１に送られるＲＲＣまたはＰＤＣＣＨで指定される。アンペアードスペクトラム（Unpaired spectrum）（ＴＤＤバンドなど）では、ＤＬ  ＢＷＰとＵＬ  ＢＷＰはペアされていて、ＢＷＰ切り替えは、ＵＬとＤＬに対して共通である。ＢＷＰが設定されているアクティベートされたサービングセルのそれぞれに対する、アクティブなＢＷＰにおいて、端末装置１のＭＡＣエンティティは、ノーマル処理を適用する。ノーマル処理には、ＵＬ−ＳＣＨを送信する、ＲＡＣＨを送信する、ＰＤＣＣＨをモニタする、ＰＵＣＣＨを送信する、ＳＲＳを送信する、およびＤＬ−ＳＣＨを受信することを含む。ＢＷＰが設定されているアクティベートされたサービングセルのそれぞれに対する、インアクティブなＢＷＰにおいて、端末装置１のＭＡＣエンティティは、ＵＬ−ＳＣＨを送信しない、ＲＡＣＨを送信しない、ＰＤＣＣＨをモニタしない、ＰＵＣＣＨを送信しない、ＳＲＳを送信しない、およびＤＬ−ＳＣＨを受信しない。あるサービングセルが非活性化された場合、アクティブなＢＷＰは、存在しないようにしてもよい（例えば、アクティブなＢＷＰは非活性化される）。
＜ＲＲＣ動作＞
ＲＲＣメッセージ（報知されるシステム情報や、専用ＲＲＣメッセージで送られる情報）に含まれるＢＷＰインフォメーションエレメント（IE）は、ＢＷＰを設定するために使われる。基地局装置３から送信されたＲＲＣメッセージは、端末装置１によって受信される。それぞれのサービングセルに対して、ネットワーク（基地局装置３など）は、少なくとも下りリンクのＢＷＰと１つ（もしサービングセルが上りリンクの設定された場合など）または２つ（付録のアップリンク（supplementary uplink）が使われる場合など）の上りリンクＢＷＰを含む少なくとも初期ＢＷＰ（initial BWP）を、端末装置１に対して、設定する。さらに、ネットワークは、追加の上りリンクＢＷＰや下りリンクＢＷＰをあるサービングセルに対して設定するかもしれない。ＢＷＰ設定は、上りリンクパラメータと下りリンクパラメータに分けられる。また、ＢＷＰ設定は、共通（common）パラメータと専用（dedicated）パラメータに分けられる。共通パラメータ（ＢＷＰ上りリンク共通ＩＥやＢＷＰ下りリンク共通ＩＥなど）は、セル特有である。プライマリセルの初期ＢＷＰの共通パラメータは、システム情報でも提供される。他のすべてのサービングセルに対しては、ネットワークは専用信号で共通パラメータを提供する。ＢＷＰは、ＢＷＰ  ＩＤで識別される。初期ＢＷＰは、ＢＷＰ  ＩＤが０である。他のＢＷＰのＢＷＰ  ＩＤは、１から４までの値を取る。
【００９１】
上りリンクＢＷＰの専用パラメータは、ＳＲＳ設定を含む。上りリンクＢＷＰの専用パラメータに対応する上りリンクＢＷＰが、その上りリンクＢＷＰの専用パラメータに含まれるＳＲＳ設定に対応する一つまたは複数のＳＲＳに関連付けられる。
【００９２】
端末装置１により使用されるＳＲＳを送信する時間及び周波数リソースは、基地局装置３により制御される。より具体的には、前述のＢＷＰに関し上位レイヤにより付与される設定は、ＳＲＳに関する設定を含む。ＳＲＳに関する設定は、ＳＲＳリソースの設定と、ＳＲＳリソースセットに関する設定と、トリガ状態の設定を含む。以下、それぞれについて説明する。
【００９３】
一つまたは複数のＳＲＳリソースが設定された場合について説明する。基地局装置３は、端末装置１に対して複数のＳＲＳリソースを設定する。複数のＳＲＳリソースは、上りリンクスロットの後方の複数シンボルに関連付けられる。例えば、４つＳＲＳリソースが設定され、スロットの後方の４シンボルのうち、それぞれのシンボルに各ＳＲＳリソースが関連付けられているとする。端末装置１は、ＳＲＳシンボルに送信ビーム（送信フィルタ）を用いて送信する。
【００９４】
図７は、４つのＳＲＳリソースが設定された場合のＳＲＳシンボルの例を示す。Ｓ１がＳＲＳリソース＃１に関連付けられたＳＲＳリソース、Ｓ２がＳＲＳリソース＃２に関連付けられたＳＲＳリソース、Ｓ３がＳＲＳリソース＃３に関連付けられたＳＲＳリソース、Ｓ４がＳＲＳリソース＃４に関連付けられたＳＲＳリソースである。端末装置１は、この設定に基づいてそれぞれのリソースでそれぞれ送信ビームを適用してＳＲＳを送信する。
【００９５】
端末装置１は、ＳＲＳリソース毎に異なる送信アンテナポートを用いて送信してよい。例えば、Ｓ１ではアンテナポート１０、Ｓ２ではアンテナポート１１、Ｓ３ではアンテナポート１２、Ｓ４ではアンテナポート１３を用いてＳＲＳを送信してよい。
【００９６】
端末装置１は、ＳＲＳリソース毎に複数の送信アンテナポートまたは送信アンテナポートグループを用いて送信してよい。例えば、Ｓ１ではアンテナポート１０および１１、Ｓ２ではアンテナポート１２および１３を用いて送信してよい。
【００９７】
ＳＲＳリソースの設定には、空間関係情報（Spatial Relation Info）を含む。空間関
係情報は、別途適用した受信または送信フィルタ設定を、サウンディング参照信号の送信フィルタに適用し、ビーム利得を獲得するための情報である。別途適用した受信または送信フィルタ設定の特定のため、受信または送信する信号として同期信号のブロック、ＣＳＩ参照信号、サウンディング参照信号、のいずれかを設定する。
【００９８】
またＳＲＳリソースの設定には、空間関係情報に加え、下記の情報エレメントの少なくとも１つまたは複数を含んでよい。
（１）サウンディング参照信号を送信するシンボルに関する情報またはインデックス
（２）サウンディング参照信号を送信するアンテナポートに関する情報
（３）サウンディング参照信号の周波数ホッピングパターン
端末装置１は、１つまたは複数のＳＲＳリソース設定を含むＳＲＳリソースセットが設定されても良い。
【００９９】
ＳＲＳリソースセット設定は、セットに含まれるＳＲＳリソースに適用する送信電力制御に関する情報を含んでも良い。
【０１００】
ＳＲＳリソース設定および／またはＳＲＳリソースセット設定には、時間領域の動作を設定する情報を含んでも良い。時間領域の動作を設定する情報は、周期的（periodic）、セミパーシステント（semi-persistent）、非周期（aperiodic）のいずれかを設定する。
【０１０１】
端末装置１は、１つまたは複数のＳＲＳリソース設定を含むパネルＩＤの情報が設定されても良い。
【０１０２】
パネルＩＤの情報に関する設定は、セットに含まれるＳＲＳリソースに適用する送信電力制御に関する情報を含んでも良い。
【０１０３】
基地局装置３は、設定した各ＳＲＳリソースのうち、１つまたは複数を選択してＰＵＳＣＨの送信のために、ＳＲＳリソースに関連付けられたインデックスＳＲＩ（SRS Resource Index）、またはＳＲＩに関連付けられたインデックスをＤＣＩまたはＭＡＣ  ＣＥ、ＲＲＣシグナリングにより端末装置１に指示してよい。端末装置１は、設定された各ＳＲＳリソースのうち、ＳＲＩ、ＳＲＳリソースに関連付けられたインデックス、またはＳＲＩに関連付けられたインデックスをＤＣＩまたはＭＡＣ  ＣＥ、ＲＲＣシグナリングにより基地局装置３から受信してもよい。端末装置１は、指定されたＳＲＳリソースに関連付けられたＤＭＲＳの一つまたは複数のアンテナポート、および／またはＰＵＳＣＨの一つまたは複数のアンテナポートを用いて、ＰＵＳＣＨ送信を行う。例えば、端末装置１は４つのＳＲＳリソースで送信ビーム＃１〜＃４を用いてＳＲＳを送信し、基地局装置３からＳＲＩとしてＳＲＳリソース＃２が指示された場合、端末装置１は、送信ビーム＃２を用いてＰＵＳＣＨを送信してもよい。また、複数のＳＲＳリソースが指示された場合には、指示されたＳＲＩに関連付けられたＳＲＳリソースで用いた複数の送信ビームを用いてＭＩＭＯ空間多重（MIMO SM:Multiple Input Multiple Output Spatial Multiplexing）によりＰＵＳＣＨを送信してもよい。
【０１０４】
基地局装置３は、設定した各ＳＲＳリソースのうち、１つまたは複数を選択してＰＵＣＣＨの送信のためにＳＲＳリソースに関連付けられたインデックスＳＲＩ、またはＳＲＩに関連付けられたインデックスをＤＣＩまたはＭＡＣ  ＣＥ、ＲＲＣシグナリングにより端末装置１に指示してよい。ＰＵＣＣＨに関連付けられたＳＲＳリソースを特定するための情報が、下りリンクリソース割り当てを行うＤＣＩに含められる。端末装置１は、下りリンクリソース割り当てを行うＤＣＩに基づいて、ＰＤＳＣＨをデコードし、下りリンクリソース割り当てを行うＤＣＩで示されたＰＵＣＣＨリソースで、ＨＡＲＱ−ＡＣＫを送信する。端末装置１は、設定された各ＳＲＳリソースのうち、ＳＲＩ、ＳＲＳリソースに関連付けられたインデックス、またはＳＲＩに関連付けられたインデックスをＤＣＩまたはＭＡＣ  ＣＥ、ＲＲＣシグナリングにより基地局装置３から受信してもよい。端末装置１は、指定されたＳＲＳリソースに関連付けられたＤＭＲＳの一つまたは複数のアンテナポート、および／またはＰＵＣＣＨの一つまたは複数のアンテナポートを用いて、ＰＵＣＣＨ送信を行う。
【０１０５】
基地局装置３は、各ＳＲＳリソースのうち時間領域の動作を周期的と設定したＳＲＳリソースにつき、周期およびオフセットの情報を関連付け、ＤＣＩまたはＭＡＣ  ＣＥ、ＲＲＣシグナリングにより端末装置１に指示してよい。端末装置１は、各ＳＲＳリソースのうち時間領域の動作を周期的と設定したＳＲＳリソースにつき、ＳＲＳリソースに関連付けられた、送信周期およびオフセットの情報を用いて、周期的にＳＲＳ送信を行う。
【０１０６】
基地局装置３は、各ＳＲＳリソースのうち時間領域の動作をセミパーシステントと設定したＳＲＳリソースにつき、周期およびオフセットの情報を関連付け、ＤＣＩまたはＭＡＣ  ＣＥ、ＲＲＣシグナリングにより端末装置１に指示してよい。  基地局装置３は、各ＳＲＳリソースのうち時間領域の動作をセミパーシステントと設定したＳＲＳリソースにつき、ＳＲＳリソースの活性化／非活性化をＤＣＩまたはＭＡＣ  ＣＥ、ＲＲＣシグナリングにより端末装置１に指示してよい。端末装置１は、設定された各ＳＲＳリソースのうち時間領域の動作をセミパーシステントと設定したＳＲＳリソースにつき、ＳＲＳリソースの活性化／非活性化をＤＣＩまたはＭＡＣ  ＣＥ、ＲＲＣシグナリングにより基地局装置３から受信してもよい。端末装置１は活性化の指示を受信した際、指定されたＳＲＳリソースに関連づけられた、ＳＲＳを送信するシンボルに関する情報またはインデックス、および／またはＳＲＳを送信するアンテナポートに関する情報、および／またはＳＲＳの周波数ホッピングパターンの情報を用いて、指定されたＳＲＳリソースに関連付けられた、周期およびオフセットの情報を用いて、周期的にＳＲＳ送信を行う。端末装置１は非活性化の指示を受信した際、指定されたＳＲＳリソースのＳＲＳ送信を停止する。
【０１０７】
基地局装置３は、各ＳＲＳリソースのうち時間領域の動作を非周期的と設定したＳＲＳリソースにつき、ＳＲＳ送信要求（ＳＲＳリクエスト）をＤＣＩまたはＭＡＣ  ＣＥ、ＲＲＣシグナリングにより端末装置１に指示してよい。端末装置１は、設定された各ＳＲＳリソースのうち時間領域の動作を非周期的と設定したＳＲＳリソースにつき、ＳＲＳ送信要求（ＳＲＳリクエスト）をＤＣＩまたはＭＡＣ  ＣＥ、ＲＲＣシグナリングにより基地局装置３から受信してもよい。端末装置１はＳＲＳ送信要求（ＳＲＳリクエスト）を受信した際、指定されたＳＲＳリソースに関連づけられた、ＳＲＳを送信するシンボルに関する情報またはインデックス、および／またはＳＲＳを送信するアンテナポートに関する情報、および／またはＳＲＳの周波数ホッピングパターンの情報を用いて、指定されたＳＲＳリソースに関連付けられた、周期およびオフセットの情報を用い、ＳＲＳ送信を行う。ＳＲＳ送信要求（ＳＲＳリクエスト）は、１つまたは複数のトリガ状態を含み、各ＳＲＳリソース設定および／または各ＳＲＳリソースセット設定のうち時間領域の動作を非周期的と設定した、各ＳＲＳリソース設定および／または各ＳＲＳリソースセット設定は、１つまたは複数のトリガ状態に関連付けられる。
【０１０８】
次に、トリガ状態の設定を説明する。各トリガ状態は、１つまたは複数のＳＲＳリソースセットに関する設定に関連付けられている。
【０１０９】
時間領域の動作が非周期であるＳＲＳリソースセットのために、１つまたは複数のコンポーネントキャリアでの上りリンクチャネル状態情報（ＣＳＩ）および／またはチャネルサウンディングおよび／またはビームマネジメントのための、１つまたは複数のSＲＳリ
ソースセットにおけるＳＲＳ送信のためのトリガ状態が上位レイヤで設定される。非周期のＳＲＳリソースセットにおけるＳＲＳ送信のトリガのために、１つのＳＲＳトリガ状態のセットが上位レイヤのパラメータで設定される。各トリガ状態は、ＤＣＩ（例えば、ＤＣＩフォーマット０＿１、ＤＣＩフォーマット１＿１、ＤＣＩフォーマット２＿３）に含まれるＳＲＳリクエストフィールドを用いて指示される。
【０１１０】
このとき、端末装置は、下記の動作を行う。
【０１１１】
・ＳＲＳリクエストフィールドの値が０の場合、ＳＲＳ送信はリクエストされない
・ＳＲＳリクエストフィールドの値が１または２または３の場合、対応するトリガ状態に関連付けられたＳＲＳリソースセットに関する設定に基づいて、ＳＲＳ送信を行う。このとき端末装置は、ＳＲＳリソースセットから、ＳＲＳリソースに関する設定に含まれる設定情報に基づいてＳＲＳを送信する。
【０１１２】
各ＳＲＳリソースセットに関する設定には、時間領域の動作を設定する情報、空間関係情報に関する信号のインデックスまたはアイデンティティを含む。
【０１１３】
図８は、あるサービングセル＃１におけるＳＲＳに関するＲＲＣの設定の一例を示している。図８に示されるように、ＳＲＳリソースに関する設定が７つ設定されている。そのうち、設定＃０，＃２，＃４は周期的なＳＲＳリソースの設定であり、設定＃１，＃２，＃６は非周期なＳＲＳリソースの設定であり、設定＃５はセミパーシステントなＳＲＳリソースの設定である。
【０１１４】
非周期およびセミパーシステントなＳＲＳリソースに関する設定にはトリガ状態の情報を含み、図８の例では設定＃１はトリガ状態＃０に関連付けられ、設定＃３はトリガ状態＃２に関連付けられ、設定＃５はトリガ状態＃１に関連付けられ、設定＃６はトリガ状態＃２にそれぞれ関連付けられている。
【０１１５】
端末装置１は、ＲＲＣで設定されたＳＲＳに関する設定と、ＤＣＩに含まれるＳＲＳリクエストフィールドの値に基づいて関連付けられたＳＲＳリソースセットに関する設定に基づいて、ＳＲＳを送信する。このとき、端末装置１は、ＳＲＳに関する設定に関連付けられたＳＲＳリソースセットに関する設定から、ＳＲＳに関する設定に含まれる設定情報に基づいてＳＲＳを送信する。一例として、ＳＲＳリクエストフィールドを２ビットで構成し、前述のＳＲＳリソースおよび／またはＳＲＳリソースセットに関連付けられたトリガ状態を２ビットで表現した値と対応付けても良い。
【０１１６】
ここで、上述の例ではＳＲＳリクエストフィールドの１つの値に、１つのＳＲＳリソースセットに関する設定が設定されたが、複数のＳＲＳリソースセットが関連付けられるようにしてもよい。
【０１１７】
また図８には、ある２つのサービングセルにおけるＲＲＣで設定されるＳＲＳリソースセットの設定およびおパネルＩＤに関する情報の設定の例を示している。
【０１１８】
端末装置１は、１つのプライマリセルと１５までのセカンダリセルが設定されてよい。
【０１１９】
以下、ランダムアクセス手順（Random Access procedure）について説明する。ランダ
ムアクセス手順は、競合ベース（ＣＢ：Ｃｏｎｔｅｎｔｉｏｎ  Ｂａｓｅｄ）と非競合ベース（ｎｏｎ−ＣＢ）（ＣＦ：Ｃｏｎｔｅｎｔｉｏｎ  Ｆｒｅｅと称してもよい）の２つの手順に分類される。競合ベースランダムアクセスはＣＢＲＡ、非競合ベースランダムアクセスはＣＦＲＡとも称される。ランダムアクセス手順は、ＰＤＣＣＨオーダー、ＭＡＣエンティティ、下位レイヤからのビーム失敗（beam failure）の通知、あるいはＲＲＣ等によって開始（initiate）される。
【０１２０】
競合ベースのランダムアクセス手順は、ＰＤＣＣＨオーダー、ＭＡＣエンティティ、下位レイヤからのビーム失敗（beam failure）の通知、あるいはＲＲＣ等によって開始（initiate）される。ビーム失敗通知が、端末装置１のＭＡＣエンティティに端末装置１の物理レイヤから提供された場合に、ある条件を満たした場合、端末装置１のＭＡＣエンティティは、ランダムアクセス手順を開始する。ビーム失敗通知が、端末装置１のＭＡＣエンティティに端末装置１の物理レイヤから提供された場合に、ある条件を満たしたかどうかを判断し、ランダムアクセス手順を開始する手続きを、ビーム失敗リカバリ手順と称してもよい。このランダムアクセス手順は、ビーム失敗リカバリ要求のためのランダムアクセス手順である。ＭＡＣエンティティによって開始されるランダムアクセス手順は、スケジューリングリクエスト手続きによって開始されるランダムアクセス手順を含む。ビーム失敗リカバリ要求のためのランダムアクセス手順は、ＭＡＣエンティティによって開始されるランダムアクセス手順と考えられるかもしれないし、考えられないかもしれない。ビーム失敗リカバリ要求のためのランダムアクセス手順とスケジューリングリクエスト手続きによって開始されるランダムアクセス手順で、異なる手続きを行う場合があるため、ビーム失敗リカバリ要求のためのランダムアクセス手順とスケジューリングリクエスト手続きを、区別するようにしてもよい。ビーム失敗リカバリ要求のためのランダムアクセス手順とスケジューリングリクエスト手続きを、ＭＡＣエンティティによって開始されるランダムアクセス手順としてもよい。ある実施形態では、スケジューリングリクエスト手続きによって開始されるランダムアクセス手順をＭＡＣエンティティによって開始されるランダムアクセス手順と称し、ビーム失敗リカバリ要求のためのランダムアクセス手順を下位レイヤからのビーム失敗の通知によるランダムアクセス手順と称するようにしてもよい。以下、下位レイヤからのビーム失敗の通知を受けた場合のランダムアクセス手順の開始は、ビーム失敗リカバリ要求のためのランダムアクセス手順の開始を意味してもよい。
【０１２１】
端末装置１は、基地局装置３と接続（通信）していない状態からの初期アクセス時、および／または、基地局装置３と接続中であるが端末装置１に送信可能な上りリンクデータあるいは送信可能なサイドリンクデータが発生した場合のスケジューリングリクエスト時などにおいて競合ベースのランダムアクセス手順を行なう。ただし、競合ベースのランダムアクセスの用途はこれらに限定されない。端末装置１に送信可能な上りリンクデータが発生していることは、送信可能な上りリンクデータに対応するバッファステータスレポートがトリガーされていることを含んでもよい。端末装置１に送信可能な上りリンクデータが発生していることは、送信可能な上りリンクデータの発生に基づいてトリガーされたスケジューリングリクエストがペンディングされていることを含んでもよい。端末装置１に送信可能なサイドリンクデータが発生していることは、送信可能なサイドリンクデータに対応するバッファステータスレポートがトリガーされていることを含んでもよい。端末装置１に送信可能なサイドリンクデータが発生していることは、送信可能なサイドリンクデータの発生に基づいてトリガーされたスケジューリングリクエストがペンディングされていることを含んでもよい。
【０１２２】
非競合ベースのランダムアクセス手順は、端末装置１が基地局装置３からランダムアクセス手順の開始を指示する情報を受けた場合に開始されてもよい。非競合ベースランダムアクセス手順は、端末装置１のＭＡＣレイヤが、下位レイヤからビーム失敗の通知を受けた場合に開始されてもよい。非競合ベースのランダムアクセスは、基地局装置３と端末装置１とが接続中であるがハンドオーバや移動局装置の送信タイミングが有効でない場合に、迅速に端末装置１と基地局装置３との間の上りリンク同期をとるために用いられてよい。非競合ベースランダムアクセスは、端末装置１においてビーム失敗が発生した場合にビーム失敗リカバリ要求を送信するために用いられてよい。ただし、非競合ベースのランダムアクセスの用途はこれらに限定されない。ただし、該ランダムアクセス手順の開始を指示する情報はメッセージ０、Ｍｓｇ．０、ＮＲ−ＰＤＣＣＨオーダー、ＰＤＣＣＨオーダーなどと称されてもよい。ただし、端末装置１は、メッセージ０で指示されたランダムアクセスプリアンブルインデックスが所定の値（例えば、インデックスを示すビットが全て０である場合）であった場合に、端末装置１が利用可能なプリアンブルのセットの中からランダムに１つを選択して送信する競合ベースのランダムアクセス手順を行なってもよい。
【０１２３】
端末装置１は、ランダムアクセス手順を開始する（initiate）前に上位層を介してランダムアクセス設定情報を受信する。該ランダムアクセス設定情報には、プリアンブル送信に利用可能なリソースやプリアンブル送信の各種パラメータ（送信回数や電力設定）、関連付けられるＳＳ／ＰＢＣＨブロックの情報またはそれらの情報を決定／設定するための情報が含まれてよい。ただし、ランダムアクセス設定情報には、セル内で共通の情報が含まれてもよく、端末毎に異なる専用（dedicated）の情報が含まれてもよい。ただし、ラ
ンダムアクセス設定情報の一部は、ＳＳバーストセット内の全てのＳＳ／ＰＢＣＨブロックに関連付けられていてもよい。ただし、ランダムアクセス設定情報の一部は設定された１つまたは複数のＣＳＩ−ＲＳの全てに関連付けられてもよい。ただし、ランダムアクセス設定情報の一部は１つの下りリンク送信ビーム（あるいはビームインデックス）に関連付けられていてもよい。ただし、ランダムアクセス設定情報の一部はＳＳバーストセット内の１つのＳＳ／ＰＢＣＨブロックに関連付けられていてもよい。ただし、ランダムアクセス設定情報の一部は設定された１つまたは複数のＣＳＩ−ＲＳのうちの１つに関連付けられてもよい。ただし、ランダムアクセス設定情報の一部は１つの下りリンク送信ビーム（あるいはビームインデックス）に関連付けられていてもよい。ただし、１つのＳＳ／ＰＢＣＨブロック、１つのＣＳＩ−ＲＳ、および／または１つの下りリンク送信ビームに関連付けられた情報には、対応する１つのＳＳ／ＰＢＣＨブロック、１つのＣＳＩ−ＲＳ、および／または１つの下りリンク送信ビームを特定するためのインデックス情報（例えば、ＳＳＢインデックス、ビームインデックス、あるいはＱＣＬ設定インデックスであってよい）が含まれてもよい。ただし、ＳＳバーストセット内のＳＳ／ＰＢＣＨブロック毎にランダムアクセス設定情報が設定されてもよいし、ＳＳバーストセット内の全てのＳＳ／ＰＢＣＨブロックで共通の１つのランダムアクセス設定情報が設定されてもよい。端末装置１は、下りリンク信号によって１つまたは複数のランダムアクセス設定情報を受信し、該１つまたは複数のランダムアクセス設定情報のそれぞれがＳＳ／ＰＢＣＨブロック（ＣＳＩ−ＲＳまたは下りリンク送信ビームであってもよい）に関連付けられていてもよい。端末装置１は、受信した１つまたは複数のＳＳ／ＰＢＣＨブロック（ＣＳＩ−ＲＳまたは下りリンク送信ビームであってもよい）のうちの１つを選択し、選択したＳＳ／ＰＢＣＨブロックに関連付けられたランダムアクセス設定情報を用いてランダムアクセス手順を行なってもよい。
【０１２４】
端末装置１が基地局装置３からメッセージ０を受信した場合のランダムアクセス手順は、端末装置１と基地局装置３との間の複数のメッセージの送受信により実現される。
【０１２５】
＜メッセージ０＞
基地局装置３は、端末装置１に対して、下りリンクの専用シグナリング（dedicated signalling）（メッセージ０あるいはＭｓｇ０とも称される）によって、１つまたは複数の非競合ベースランダムアクセスプリアンブルを割り当てる。ただし、非競合ベースランダムアクセスプリアンブルは、ブロードキャストシグナリングによって通知されたセットに含まれていないランダムアクセスプリアンブルのことであってもよい。基地局装置３は、複数の参照信号を送信している場合に、端末装置１に対して、該複数の参照信号の少なくとも一部のそれぞれに対応する複数の非競合ベースランダムアクセスプリアンブルを割り当ててもよい。
メッセージ０は、基地局装置３から端末装置１へランダムアクセス手順の開始を指示する指示情報であってもよい。メッセージ０は、ハンドオーバのために、ターゲットの基地局装置３によって生成され、元の（source）基地局装置３によって送信されたハンドオーバ（HO）コマンドであってもよい。メッセージ０は、セカンダリセルグループの変更のために、基地局装置３によって送信されたＳＣＧ変更コマンドあってもよい。ハンドオーバコマンドやＳＣＧ変更コマンドは、同期再設定とも称される。この同期再設定（reconfiguration with syncなど）は、ＲＲＣメッセージで送信される。同期再設定は、ＰＣｅｌｌへの同期をともなうＲＲＣ再設定（ハンドオーバコマンドなど）やＰＳＣｅｌｌへの同期をともなうＲＲＣ再設定（ＳＣＧ変更コマンドなど）に使用される。メッセージ０は、ＲＲＣ信号および／またはＰＤＣＣＨで送信されてもよい。ＰＤＣＣＨで送信されるメッセージ０は、ＰＤＣＣＨオーダーと称されてもよい。ＰＤＣＣＨオーダーは、あるＤＣＩフォーマットのＤＣＩで送信されてよい。メッセージ０は、非競合ベースランダムアクセスプリアンブルを割り当てる情報を含んでいてもよい。メッセージ０で通知されるビット情報には、プリアンブルインデックス情報、ＳＳＢインデックス情報、マスクインデックス情報（ＲＡＣＨ機会インデックスと称されてもよい）、ＳＵＬ（Supplemental UpLink）情報、ＢＷＰインデックス情報、ＳＲＩ情報、参照信号選択指示情報（Reference Signal Selection Indicator）、ランダムアクセス設定選択指示情報（Random Access Configuration Selection Indicator）、ＲＳタイプ選択指示情報、単一／複数メッセージ１送信識別情報（Single/Multiple Msg.1 Transmission Indicator）、および／または、ＴＣＩが含まれてもよい。プリアンブルインデックス情報は、ランダムアクセスプリアンブルの生成に用いられる１つまたは複数のプリアンブルインデックスを示す情報である。ただし、プリアンブルインデックス情報が所定の値である場合に、端末装置１は、競合ベースのランダムアクセス手順で利用可能な１つまたは複数のランダムアクセスプリアンブルから１つをランダムに選択してもよい。ＳＳＢインデックス情報は、基地局装置３が送信する１つまたは複数のＳＳ／ＰＢＣＨブロックのいずれかひとつに対応するＳＳＢインデックスを示す情報である。メッセージ０を受信した端末装置１は、ＳＳＢインデックス情報で示されるＳＳＢインデックスがマップされたＰＲＡＣＨ機会のグループを特定する。各ＰＲＡＣＨ機会にマップされるＳＳＢインデックスは、ＰＲＡＣＨ設定インデックスと上位レイヤパラメータＳＢ−ｐｅｒＲＡＣＨ−Ｏｃｃａｓｉｏｎ、および上位レイヤパラメータｃｂ−ｐｒｅａｍｂｌｅＰｅｒＳＳＢによって決まる。マスクインデックス情報は、ランダムアクセスプリアンブルの送信に利用可能なＰＲＡＣＨ機会のインデックスを示す情報である。ただし、マスクインデックス情報により示されるＰＲＡＣＨ機会は１つの特定のＰＲＡＣＨ機会であってもよいし、選択可能な複数のＰＲＡＣＨ機会を示すものであってもよいし、異なるインデックスが１つのＰＲＡＣＨ機会と選択可能な複数のＰＲＡＣＨ機会のそれぞれを示してもよい。マスクインデックス情報は、ｐｒａｃｈ−Ｃｏ���ｆｉｇｕｒａｔｉｏｎＩｎｄｅｘで定められる１つまたは複数のＰＲＡＣＨ機会のグループの一部のＰＲＡＣＨ機会を示す情報であってもよい。ただし、マスクインデックス情報は、ＳＳＢインデックス情報で特定される特定のＳＳＢインデックスがマップされたＰＲＡＣＨ機会のグループ内の一部のＰＲＡＣＨ機会を示す情報であってもよい。
【０１２６】
＜メッセージ１＞
メッセージ０を受信した端末装置１は、割り当てられた非競合ベースランダムアクセスプリアンブルを、物理ランダムアクセスチャネルを介して送信する。この送信されるランダムアクセスプリアンブルをメッセージ１またはＭｓｇ１と称してもよい。ランダムアクセスプリアンブルは、複数のシーケンスによって基地局装置３へ情報を通知するように構成される。例えば、６４種類のシーケンスが用意されている場合、６ビットの情報（ｒａ−ＰｒｅａｍｂｌｅＩｎｄｅｘまたはプリアンブルインデックスであってよい）を基地局装置３へ示すことができる。この情報は、ランダムアクセスプリアンブル識別子（Random
Access preamble Identifier）として示され、端末装置１はこの情報に対応するランダ
ムアクセス応答（メッセージ２）をモニタすることで、基地局装置３から自装置宛てのメッセージ２を特定することができる。プリアンブルシーケンスは、プリアンブルインデックスを用いるプリアンブルシーケンスセットの中から選択される。端末装置１のＭＡＣレイヤにおけるランダムアクセスリソース（時間／周波数リソースおよび／またはプリアンブルインデックスを含む）の選択手順について説明する。端末装置１は、送信するランダムアクセスプリアンブルのプリアンブルインデックス（ＰＲＥＡＭＢＬＥ＿ＩＮＤＥＸと称されてもよい）に対して下記の手順で値をセットする。端末装置１は、（１）下位レイヤからのビーム失敗の通知によってランダムアクセス手順が開始され、（２）ＲＲＣパラメータでＳＳ／ＰＢＣＨブロック（ＳＳＢとも称される）またはＣＳＩ−ＲＳに関連付けられたビーム失敗リカバリ要求のための非競合ベースランダムアクセスのためのランダムアクセスリソース（ＰＲＡＣＨ機会であってもよい）が提供されており、かつ（３）一つ以上のＳＳ／ＰＢＣＨブロックまたはＣＳＩ−ＲＳのＲＳＲＰが所定の閾値を超えている場合に、ＲＳＲＰが前記所定の閾値を超えているＳＳ／ＰＢＣＨブロックまたはＣＳＩ−ＲＳを選択し、該選択されたＳＳ／ＰＢＣＨブロックに関連付けられたｒａ−ＰｒｅａｍｂｌｅＩｎｄｅｘをプリアンブルインデックスにセットする。端末装置１は、（１）ＰＤＣＣＨまたはＲＲＣでｒａ−ＰｒｅａｍｂｌｅＩｎｄｅｘが提供され、（２）該ｒａ−ＰｒｅａｍｂｌｅＩｎｄｅｘの値が競合ベースランダムアクセス手順を指示する値（例えば０ｂ００００００）ではなく、かつ（３）ＲＲＣでＳＳ／ＰＢＣＨブロックまたはＣＳＩ−ＲＳと非競合ベースランダムアクセスのためのランダムアクセスリソースが関連付けられていない場合に、シグナルされたｒａ−ＰｒｅａｍｂｌｅＩｎｄｅｘをプリアンブルインデックスにセットする。０ｂｘｘｘｘｘｘは、６ビットの情報フィールドに配置されているビット列を意味している。端末装置１は、（１）ＲＲＣでＳＳ／ＰＢＣＨブロックと非競合ベースランダムアクセスのためのランダムアクセスリソースが関連付けられており、かつ（２）関連付けられたＳＳ／ＰＢＣＨブロックのうちＲＳＲＰが所定の閾値を超えるＳＳ／ＰＢＣＨブロックが１つ以上利用可能である場合に、ＲＳＲＰが前記所定の閾値を超えているＳＳ／ＰＢＣＨブロックの１つを選択し、該選択されたＳＳ／ＰＢＣＨブロックに関連付けられたｒａ−ＰｒｅａｍｂｌｅＩｎｄｅｘをプリアンブルインデックスにセットする。
【０１２７】
端末装置１は、（１）ＲＲＣでＣＳＩ−ＲＳと非競合ベースランダムアクセスのためのランダムアクセスリソースが関連付けられており、かつ（２）関連付けられたＣＳＩ−ＲＳのうちＲＳＲＰが所定の閾値を超えるＣＳＩ−ＲＳが１つ以上利用可能である場合に、ＲＳＲＰが前記所定の閾値を超えているＣＳＩ−ＲＳの１つを選択し、該選択されたＣＳＩ−ＲＳに関連付けられたｒａ−ＰｒｅａｍｂｌｅＩｎｄｅｘをプリアンブルインデックスにセットする。端末装置１は、上記条件のいずれの条件も満たさない場合、競合ベースランダムアクセス手順を行なう。競合ベースランダムアクセス手順においては、端末装置１は、設定された閾値を超えるＳＳ／ＰＢＣＨブロックのＲＳＲＰを持つＳＳ／ＰＢＣＨブロックを選択し、プリアンブルグループの選択を行う。ＳＳ／ＰＢＣＨブロックとランダムアクセスプリアンブルの関係が設定されている場合は、端末装置１は、選択されたＳＳ／ＰＢＣＨブロックと選択されたプリアンブルグループに関連付けられた１つまたは複数のランダムアクセスプリアンブルからランダムにｒａ−ＰｒｅａｍｂｌｅＩｎｄｅｘを選択し、選択されたｒａ−ＰｒｅａｍｂｌｅＩｎｄｅｘをプリアンブルインデックスにセットする。ただし、端末装置１は、メッセージ０によって示されるｒａ−ＰｒｅａｍｂｌｅＩｎｄｅｘが所定の値（例えば、０ｂ００００００）である場合に競合ベースランダムアクセス手順を行なってもよい。ただし、端末装置１は、メッセージ０によって示されるｒａ−ＰｒｅａｍｂｌｅＩｎｄｅｘが所定の値（例えば、０ｂ００００００）である場合に競合ベースランダムアクセスで利用可能な１つまたは複数のランダムアクセスプリアンブルインデックスからランダムに１つを選択してもよい。基地局装置３は、ＲＲＣメッセージで、ＳＳ／ＰＢＣＨブロック毎のリソース設定および／またはＣＳＩ−ＲＳ毎のリソース設定を、端末装置１に送信してもよい。端末装置１は、ＲＲＣメッセージで、ＳＳ／ＰＢＣＨブロック毎のリソース設定および／またはＣＳＩ−ＲＳ毎のリソース設定を、基地局装置３から受信する。基地局装置３は、メッセージ０で、マスクインデックス情報および／またはＳＳＢインデックス情報を端末装置１に送信してもよい。端末装置１は、メッセージ０で、マスクインデックス情報および／またはＳＳＢインデックス情報を、基地局装置３から取得する。端末装置１は、ある条件に基づいて、参照信号（ＳＳ／ＰＢＣＨブロックまたはＣＳＩ−ＲＳ）を選択してもよい。端末装置１は、次に利用可能なＰＲＡＣＨ機会を、マスクインデックス情報、ＳＳＢインデックス情報、ＲＲＣパラメータで設定されるリソース設定、および選択された参照信号（ＳＳ／ＰＢＣＨブロックまたはＣＳＩ−ＲＳ）に基づいて特定してもよい。端末装置１のＭＡＣエンティティは、選択されたＰＲＡＣＨ機会を使用してランダムアクセスプリアンブルを送信するように物理レイヤに指示してもよい。ただし、メッセージ０によってＳＲＩ設定情報が示されている場合、端末装置１は、ＳＲＩ設定情報に示されている１つまたは複数のＳＲＳ送信用リソースに対応するアンテナポートおよび／または上りリンク送信ビームを用いて１つまたは複数のランダムアクセスプリアンブルを送信する。
【０１２８】
＜メッセージ２＞
メッセージ１を受信した基地局装置３は、端末装置１に送信を指示するための上りリンクグラントを含むランダムアクセス応答を生成し、生成したランダムアクセス応答をＤＬ−ＳＣＨで端末装置１へ送信する。ランダムアクセス応答を、メッセージ２またはＭｓｇ２と称してもよい。また、基地局装置３は、受信したランダムアクセスプリアンブルから端末装置１と基地局装置３との間の送信タイミングのずれを算出し、当該のずれを調整するための送信タイミング調整情報（Timing Advance Command）をメッセージ２に含める。また、基地局装置３は、受信したランダムアクセスプリアンブルに対応したランダムアクセスプリアンブル識別子をメッセージ２に含める。また、基地局装置３は、ランダムアクセスプリアンブルを送信した端末装置１宛てのランダムアクセス応答を示すためのＲＡ−ＲＮＴＩを、下りリンクのＰDＣＣＨで送信する。ＲＡ−ＲＮＴＩは、ランダムアクセス
プリアンブルを送信した物理ランダムアクセスチャネルの周波数および時間の位置情報に応じて決定される。ここで、メッセージ２（下りリンクのＰＳＣＨ）には、ランダムアクセスプリアンブルの送信に使用された上りリンク送信ビームのインデックスが含まれてもよい。また、下りリンクのＰDＣＣＨおよび／またはメッセージ２（下りリンクのＰＳＣ
Ｈ）を用いてメッセージ３の送信に使用される上りリンク送信ビームを決定するための情報が送信されてもよい。ここで、メッセージ３の送信に使用される上りリンク送信ビームを決定するための情報には、ランダムアクセスプリアンブルの送信に使用されたプリコーディングのインデックスからの差分（調整、補正）を示す情報が含まれてもよい。また、ランダムアクセス応答には、メッセージ３の送信電力に用いられる電力制御調整値に対する補正値を示す送信電力制御コマンド（ＴＰＣコマンド）が含まれてもよい。
【０１２９】
以上の複数のメッセージの送受信により、端末装置１は基地局装置３との同期をとり、基地局装置３に対する上りリンクデータ送信を行なうことができる。
【０１３０】
次に、本実施形態に係る上りリンク物理チャネルおよび／またはサウンディング参照信号の送信電力に用いられる下りリンクパスロスのリファレンスについて説明する。
【０１３１】
なお、端末装置１が受信したＴＰＣコマンドから得られた補正値を累積して算出することによって得られる電力調整制御値を、送信電力に適用することをＴＰＣアキュムレーションと称してもよい。また、端末装置１がＴＰＣコマンドから得られた補正値を累積して算出することなく、直前に受信した１つの補正値を電力制御調整値として送信電力に用いることをＴＰＣアブソリュートと称してもよい。
【０１３２】
下りリンクパスロスは、（下りリンク）パスロスリファレンス（例えば、ＳＳ／ＰＢＣＨブロックやＣＳＩ−ＲＳ）の送信電力（基地局装置３の送信電力）とＲＳＲＰ（端末装置１におけるパスロスリファレンスの測定結果）に基づいて端末装置１が算出してもよい。ここで、パスロスリファレンスとは、基地局装置３が設定する端末装置１にてパスロスの算出に用いられるＲＳＲＰの測定オブジェクトとして用いられる下りリンク参照信号（例えば、ＳＳブロックやＣＳＩ−ＲＳ）のことであってもよい。
【０１３３】
専用上位レイヤ設定が、基地局装置３から端末装置１に送信されていない状態で、端末装置１と基地局装置３が通信を行ってもよい。専用上位レイヤ設定は、ＰＵＳＣＨパスロ
ス見積もりに使われるべき参照信号のセットＰＵＣＣＨパスロス見積もりに使われるべき参照信号のセット、およびＳＲＳパスロス見積もりに使われるべき参照信号のセットの内の、ゼロ、１つ、または複数を含んでもよい。
【０１３４】
基地局装置３は、pathlossReferenceRSToAddModListという上位レイヤ設定を端末装置
１へ送信してもよい。pathlossReferenceRSToAddModListは、ＰＵＳＣＨパスロス見積も
りに使われるべき参照信号のセットをしめす。このパラメータは、以下のＰＵＳＣＨの送信に適用するパスロスリファレンスに対応する。端末装置１は、pathlossReferenceRSToAddModListという上位レイヤ設定を基地局装置３から受信してもよい。
【０１３５】
基地局装置３は、pathlossReferenceRSという上位レイヤ設定をＰＵＣＣＨの設定情報
に含めて、端末装置１へ送信してもよい。ＰＵＣＣＨの設定情報に含められたpathlossReferenceRSは、ＰＵＣＣＨパスロス見積もりに使われるべき参照信号のセットをしめす。
このパラメータは、以下のＰＵＣＣＨの送信に適用するパスロスリファレンスに対応する。端末装置１は、ＰＵＣＣＨの設定情報に含められたpathlossReferenceRSという上位レイヤ設定を基地局装置３から受信してもよい。
【０１３６】
基地局装置３は、pathlossReferenceRSという上位レイヤ設定をＳＲＳの設定情報に含
めて、端末装置１へ送信してもよい。ＳＲＳの設定情報に含められたpathlossReferenceRSは、ＳＲＳパスロス見積もりに使われるべき参照信号のセットをしめす。このパラメータは、以下のＳＲＳの送信に適用するパスロスリファレンスに対応する。端末装置１は、ＳＲＳの設定情報に含められたpathlossReferenceRSという上位レイヤ設定を基地局装置３から受信してもよい。
【０１３７】
端末装置１がＰＵＳＣＨの送信に適用するパスロスリファレンスについて、複数のＳＳブロックの設定、および／または、ＣＳＩ−ＲＳの設定を上位レイヤ信号（ＲＲＣメッセージおよび／またはＭＡＣ  ＣＥ）で基地局装置３から指示される場合には、当該のパスロスリファレンスを示す情報は、端末装置１が上りリンクグラントで基地局装置３から指示されたＳＲＩ情報が示すＳＲＳ送信用リソースに関連付けられたパスロスリファレンスを示す情報であってもよいし、基地局装置３から上位レイヤ信号で指示された複数のＳＳブロックの設定、および／または、ＣＳＩ−ＲＳの設定のうちＩＤをゼロと設定されたものであってもよいし、基地局装置３から設定された一つまたは複数のＰＵＣＣＨリソースのうち最小のＩＤのリソースに関連付けられたパスロスリファレンスを示す情報であってもよいし、ランダムアクセス応答に含まれたパスロスリファレンスを示す情報（例えば、端末装置１にてメッセージ１の送信時にパスロスリファレンスとして適用した参照信号）であってもよい。また、端末装置１がＳＳブロックの設定、および／または、ＣＳＩ−ＲＳの設定を基地局装置３より上位レイヤ信号で指示されない場合には、当該のパスロスリファレンスを示す情報は、端末装置１がランダムアクセス手順を通じ特定した参照信号（ＳＳブロック、および／または、ＣＳＩ−ＲＳ）としてもよい。ここで、前記ランダムアクセス手順は、特定の要因で開始されたものであってもよい。例えば、端末装置１が、ＰＵＳＣＨの送信に適用するパスロスリファレンスを基地局装置３より提供されていない場合、または、端末装置１が、基地局装置３より専用上位レイヤ設定を提供される前には、端末装置１は、非競合ベースのランダムアクセス手順をトリガーするＰＤＣＣＨオーダーで開始されていない、最近に生じたランダムアクセス手順を通じて端末装置１にて選択されたＳＳ／ＰＢＣＨブロックからの参照信号のリソースを使って、下りリンクパスロス見積もりを算出してもよい。上記処理は、ＰＵＳＣＨの送信に適用する送信電力制御に用いられる下りリンクパスロス見積もりを、活性化されたＢＷＰの下り参照信号を用い見積もるよう上位レイヤより設定される場合に、端末装置１が行ってもよい。基地局装置３は、上記処理を端末装置１が行っている想定に基づいて、電力制御をおこなってもよい。また、基地局装置３は、上記処理を端末装置１が行うように上位レイヤ設定の送信を行ってもよい。
【０１３８】
端末装置１がＰＵＣＣＨの送信に適用するパスロスリファレンスについて、複数のＳＳブロックの設定、および／または、ＣＳＩ−ＲＳの設定を上位レイヤ信号（ＲＲＣメッセージおよび／またはＭＡＣ  ＣＥ）で基地局装置３から指示される場合には、当該のパスロスリファレンスを示す情報は、端末装置１が基地局装置３によりＰＵＣＣＨリソースに関連づけられたパスロスリファレンスを示す情報であってもよいし、基地局装置３から上位レイヤ信号で指示された複数のＳＳブロックの設定、および／または、ＣＳＩ−ＲＳの設定のうちＩＤをゼロと設定されたものであってもよいし、基地局装置３より上位レイヤ信号でパスロスリファレンス対応付けの設定されたセルに対し、一つまたは複数のＰＵＣＣＨリソースのうち最小のＩＤのリソースに関連付けられたパスロスリファレンスを示す情報であってもよい。また、端末装置１がＳＳブロックの設定、および／または、ＣＳＩ−ＲＳの設定を基地局装置３より上位レイヤ信号で指示されない場合には、当該のパスロスリファレンスを示す情報は、端末装置１がランダムアクセス手順を通じ特定した参照信号（ＳＳブロック、および／または、ＣＳＩ−ＲＳ）としてもよい。ここで、前記ランダムアクセス手順は、特定の要因で開始されたものであってもよい。例えば、端末装置１が、ＰＵＣＣＨの送信に適用するパスロスリファレンスを基地局装置３より提供されていない場合、または、端末装置１が、基地局装置３より専用上位レイヤ設定を提供される前には、端末装置１は、非競合ベースのランダムアクセス手順をトリガーするＰＤＣＣＨオーダーで開始されていない、最近に生じたランダムアクセス手順を通じて端末装置１にて選択されたＳＳ／ＰＢＣＨブロックからの参照信号のリソースを使って、下りリンクパスロス見積もりを算出してもよい。上記処理は、ＰＵＣＣＨの送信に適用する送信電力制御に用いられる下りリンクパスロス見積もりを、活性化されたＢＷＰの下り参照信号を用い見積もるよう上位レイヤより設定される場合に、端末装置１が行ってもよい。基地局装置３は、上記処理を端末装置１が行っている想定に基づいて、電力制御をおこなってもよい。また、基地局装置３は、上記処理を端末装置１が行うように上位レイヤ設定の送信を行ってもよい。
【０１３９】
端末装置１がＳＲＳの送信に適用するパスロスリファレンスについて、複数のＳＳブロックの設定、および／または、ＣＳＩ−ＲＳの設定を上位レイヤ信号（ＲＲＣメッセージおよび／またはＭＡＣ  ＣＥ）で基地局装置３から指示される場合には、当該のパスロスリファレンスを示す情報は、端末装置１が基地局装置３によりＳＲＳ送信用リソースに関連付けられたパスロスリファレンスを示す情報であってもよいし、基地局装置３から上位レイヤ信号でＳＲＳ送信用リソースに関連付けられたパスロスリファレンス対応付けの設定されたセルのパスロスリファレンスを示す情報であってもよい。より具体的には、端末装置１が端末装置１のパネルを識別する情報（パネルＩＤ）を設定されている場合には、当該のパスロスリファレンスを示す情報は、端末装置１が基地局装置３により設定されたＳＲＳリソースを識別する情報（ＳＲＳリソースＩＤ）とパネルＩＤの組み合わせにより特定される情報であってよい。また、端末装置１が端末装置１のパネルを識別する情報（パネルＩＤ）を設定されていない場合には、当該のパスロスリファレンスを示す情報は、端末装置１が基地局装置３により設定されたＳＲＳリソースセットを識別する情報（ＳＲＳリソースセットＩＤ）により特定される情報であってよい。また、端末装置１がＳＳブロックの設定、および／または、ＣＳＩ−ＲＳの設定を基地局装置３より上位レイヤ信号で指示されない場合には、当該のパスロスリファレンスを示す情報は、端末装置１がランダムアクセス手順を通じ特定した参照信号（ＳＳブロック、および／または、ＣＳＩ−ＲＳ）としてもよい。ここで、前記ランダムアクセス手順は、特定の要因で開始されたものであってもよい。例えば、端末装置１が、ＳＲＳの送信に適用するパスロスリファレンスを基地局装置３より提供されていない場合、または、端末装置１が、基地局装置３より専用上位レイヤ設定を提供される前には、端末装置１は、非競合ベースのランダムアクセス手順をトリガーするＰＤＣＣＨオーダーで開始されていない、最近に生じたランダムアクセス手順を通じて端末装置１にて選択されたＳＳ／ＰＢＣＨブロックからの参照信号のリソースを使って、下りリンクパスロス見積もりを算出してもよい。上記処理は、ＳＲＳの送信に適用する送信電力制御に用いられる下りリンクパスロス見積もりを、活性化されたＢＷＰの下り参照信号を用い見積もるよう上位レイヤより設定される場合に、端末装置１が行ってもよい。基地局装置３は、上記処理を端末装置１が行っている想定に基づいて、電力制御をおこなってもよい。また、基地局装置３は、上記処理を端末装置１が行うように上位レイヤ設定の送信を行ってもよい。
【０１４０】
端末装置１の用いるＰＵＳＣＨおよびメッセージ３の送信電力は、サブキャリア間隔設定μ、ＰＵＳＣＨに割り当てられた帯域幅（リソースブロック数）、ＰＵＳＣＨの基準電力、ＰＵＳＣＨの端末装置固有電力、ＰＵＳＣＨの変調方式に基づく電力オフセット、および、下りリンクパスロスの補償係数、下りリンクパスロス、ＰＵＳＣＨのＴＰＣコマンドの補正値に基づいてセットされる。なお、サブキャリア間隔設定μ、ＰＵＳＣＨの基準電力、ＰＵＳＣＨの端末装置固有電力、および、下りリンクパスロスの補償係数は、上位レイヤ設定として基地局装置３より設定される。また、これらの上位レイヤ設定は、上りリンクグラントの種類毎、セル毎、上りリンクサブフレームセット毎に基地局装置３より端末装置１に対し設定されてもよい。
【０１４１】
端末装置１の用いるＰＵＣＣＨの送信電力は、サブキャリア間隔設定μ、ＰＵＣＣＨに割り当てられた帯域幅（リソースブロック数）、ＰＵＣＣＨの基準電力、ＰＵＣＣＨの端末装置固有電力、および、下りリンクパスロスの補償係数、ＰＵＣＣＨフォーマットに基づく電力オフセット、下りリンクパスロス、ＰＵＣＣＨのＴＰＣコマンドの補正値に基づいてセットされる。なお、サブキャリア間隔設定μ、ＰＵＣＣＨの基準電力、ＰＵＣＣＨの端末装置固有電力、ＰＵＣＣＨフォーマットに基づく電力オフセット、および、下りリンクパスロスの補償係数は、上位レイヤ設定として基地局装置３より設定される。また、これらの上位レイヤ設定は、セルグループ毎に基地局装置３より端末装置１に対し設定されてもよい。
【０１４２】
端末装置１の用いるＳＲＳの送信電力は、サブキャリア間隔設定μ、ＳＲＳに割り当てられた帯域幅（リソースブロック数）、ＳＲＳの基準電力、および、下りリンクパスロスの補償係数、下りリンクパスロス、ＳＲＳのＴＰＣコマンドの補正値に基づいてセットされる。なお、サブキャリア間隔設定μ、ＳＲＳの基準電力、および、下りリンクパスロスの補償係数は、上位レイヤ設定として基地局装置３より設定される。また、これらの上位レイヤ設定は、上りリンクグラントの種類毎、セル毎、上りリンクサブフレームセット毎に基地局装置３より端末装置１に対し設定されてもよい。
【０１４３】
ＰＵＳＣＨ、ＰＵＣＣＨおよびＳＲＳは、端末装置１にてそれぞれの物理チャネルに対応するＴＰＣコマンドに基づいて電力が調整される。
【０１４４】
ＴＰＣアキュムレーションは、セル毎、物理チャネル毎、サブフレームセット毎、ＳＲＳリソースセット毎に行なうかどうかが基地局装置３より端末装置１に対し設定されてもよい。また、ＳＲＳのＴＰＣアキュムレーションは、端末装置１にてＰＵＳＣＨのＴＰＣアキュムレーションを流用しても良い。
【０１４５】
このように、端末装置１は、パスロスリファレンスに基づいて、上りリンクの送信電力を適切にセットすることができる。
【０１４６】
以下、本実施形態における装置の構成について説明する。
【０１４７】
図９は、本実施形態の端末装置１の構成を示す概略ブロック図である。図示するように
、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、無線リソース制御層処理部１６を含んで構成される。無線送受信部１０を送信部、受信部、モニタ部、または、物理層処理部とも称する。上位層処理部１４を測定部、選択部または制御部とも称する。
【０１４８】
上位層処理部１４は、ユーザの操作等により生成された上りリンクデータ（トランスポートブロックと称されてもよい）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。上位層処理部１４は、１つまたは複数の参照信号から、それぞれの参照信号の測定値に基づいて１つの参照信号を選択する機能を有してもよい。上位層処理部１４は、１つまたは複数のＰＲＡＣＨ機会から、選択した１つの参照信号に関連付けられたＰＲＡＣＨ機会を選択する機能を有してもよい。上位層処理部１４は、無線送受信部１０で受信したランダムアクセス手順の開始を指示する情報に含まれるビット情報が所定の値であった場合に、上位レイヤ（例えばＲＲＣレイヤ）で設定された１つまたは複数のインデックスから１つのインデックスを特定し、プリアンブルインデックスにセットする機能を有してもよい。上位層処理部１４は、ＲＲＣで設定された１つまたは複数のインデックスのうち、選択した参照信号に関連付けられたインデックスを特定し、プリアンブルインデックスにセットする機能を有してもよい。上位層処理部１４は、受信した情報（例えば、ＳＳＢインデックス情報および／またはマスクインデックス情報）に基づいて、次に利用可能なＰＲＡＣＨ機会を決定する機能を有してもよい。上位層処理部１４は、受信した情報（例えば、ＳＳＢインデックス情報）に基づいて、ＳＳ／ＰＢＣＨブロックを選択する機能を有してもよい。上位層処理部は、上位レイヤ信号で指示されるパスロスリファレンスを示す情報、および／または上りリンクグラントで指示されたＳＲＩ情報（例えば、ＳＲＳ送信用リソースに関連付けられたパスロスリファレンスを示す情報）、および／または設定された一つまたは複数のＰＵＣＣＨリソースの情報（例えば、最小のＩＤのリソースに関連付けられたパスロスリファレンスを示す情報）、および／またはメッセージ１の送信時にパスロスリファレンスとして適用した参照信号の情報、および／またはランダムアクセス手順を通じ特定した参照番号の情報を用いて、上りリンク物理チャネル（ＰＵＳＣＨ、ＰＵＣＣＨ）および／またはサウンディング参照信号の送信電力に用いられる下りリンクパスロスのリファレンスを特定する機能を有しても良い。より具体的には、端末装置１がパネルＩＤを設定されている場合には、当該のパスロスリファレンスを示す情報は、ＳＲＳリソースＩＤとパネルＩＤの組み合わせにより特定される情報であってよい。また、端末装置１がパネルＩＤを設定されていない場合には、当該のパスロスリファレンスを示す情報は、ＳＲＳリソースセットＩＤにより特定される情報であってよい。上位層処理部は、上位レイヤ信号で設定されるサブキャリア間隔設定μ、上りリンク物理チャネル（ＰＵＳＣＨ、ＰＵＣＣＨ）および／またはサウンディング参照信号の基準電力、上りリンク物理チャネル（ＰＵＳＣＨ、ＰＵＣＣＨ）および／またはサウンディング参照信号の端末装置固有電力、および、下りリンクパスロスの補���係数を特定する機能を有しても良い。
【０１４９】
図８にパネルＩＤ関連設定およびＳＲＳリソースセット設定の例を示す。パネルＩＤに関する設定が２つ設定されている。そのうち、パネルＩＤ関連設定＃０にはＳＲＳリソース＃０，＃２，＃４が含まれ、パネルＩＤ関連設定＃１にはＳＲＳリソース＃１，＃５，＃６が含まれる。ＳＲＳリソースセットに関する設定が３つ設定されている。そのうち、ＳＲＳリソースセット設定＃０にはＳＲＳリソース＃０，＃２，＃４が含まれ、ＳＲＳリソースセット設定＃１にはＳＲＳリソース＃１，＃５，＃６が含まれ、ＳＲＳリソースセ
ット設定＃２にはＳＲＳリソース＃３が含まれる。ＳＲＳリソース＃０に適用するパスロスリファレンスを示す情報は、パネルＩＤ関連設定＃０のうちＳＲＳリソース＃０に対応付けられた情報として特定される。端末装置１は基地局装置３よりパネルＩＤ関連設定＃０に含まれる同期信号ブロック＃１とCSI参照信号＃１のどちらをＳＲＳリソース＃０に
適用するかをＤＣＩまたはＭＡＣ  ＣＥ、ＲＲＣシグナリングにより指示されてよい。また、ＳＲＳリソース＃３はパネルＩＤに関連する情報が設定されていない。このときＳＲＳリソース＃３に適用するパスロスリファレンスを示す情報は、ＳＲＳリソースセット設定＃２のうちＳＲＳリソース＃３に対応付けられた情報として特定される。端末装置１は基地局装置３よりＳＲＳリソースセット設定＃２に含まれる参照信号のうちどれを適用するかをＤＣＩまたはＭＡＣ  ＣＥ、ＲＲＣシグナリングにより指示されてよい。
【０１５０】
上位層処理部１４が備える媒体アクセス制御層処理部１５は、ＭＡＣレイヤ（媒体アクセス制御層）の処理を行なう。媒体アクセス制御層処理部１５は、無線リソース制御層処理部１６によって管理されている各種設定情報／パラメータに基づいて、スケジューリング要求の伝送の制御を行う。
【０１５１】
上位層処理部１４が備える無線リソース制御層処理部１６は、ＲＲＣレイヤ（無線リソース制御層）の処理を行なう。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１５２】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。無線送受信部１０は、あるセルにおける１つまたは複数の参照信号を受信する機能を有してもよい。無線送受信部１０は、１つまたは複数のＰＲＡＣＨ機会を特定する情報（例えば、ＳＳＢインデックス情報および／またはマスクインデックス情報）を受信する機能を有してもよい。無線送受信部１０は、ランダムアクセス手順の開始を指示する指示情報を含む信号を受信する機能を有してもよい。無線送受信部１０は、所定のインデックスを特定する情報を受信する情報を受信する機能を有してもよい。無線送受信部１０は、ランダムアクセスプリンブルのインデックスを特定する情報を受信する機能を有してもよい。無線送受信部１０は、上位層処理部１４で決定したＰＲＡＣＨ機会でランダムアクセスプリアンブルを送信する機能を有してもよい。
【０１５３】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【０１５４】
ベースバンド部１３は、ＲＦ部１２から入力されたアナログ信号を、アナログ信号をデジタル信号に変換する。ベースバンド部１３は、変換したデジタル信号からＣＰ（Cyclic
Prefix）に相当する部分を除去し、ＣＰを除去した信号に対して高速フーリエ変換（Fast Fourier Transform: FFT）を行い、周波数領域の信号を抽出する。
【０１５５】
ベースバンド部１３は、データを逆高速フーリエ変換（Inverse Fast Fourier Transform: IFFT）して、ＯＦＤＭシンボルを生成し、生成されたＯＦＤＭシンボルにＣＰを付加し、ベースバンドのデジタル信号を生成し、ベースバンドのデジタル信号をアナログ信号に変換する。ベースバンド部１３は、変換したアナログ信号をＲＦ部１２に出力する。
【０１５６】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は在圏セルにおいて送信する上り物理チャネル（ＰＵＳＣＨ、ＰＵＣＣＨ）および／またはサウンディング参照信号の送信電力を決定する機能を備えてもよい。ＲＦ部１２を送信電力制御部とも称する。送信電力制御部は、ＴＰＣコマンドおよび／または、上位層処理部で特定したパスロスリファレンスおよび／または上位レイヤ信号で設定されるパラメータ（サブキャリア間隔設定μ、上りリンク物理チャネル（ＰＵＳＣＨ、ＰＵＣＣＨ）および／またはサウンディング参照信号の基準電力、上りリンク物理チャネル（ＰＵＳＣＨ、ＰＵＣＣＨ）の端末装置固有電力）、および／または、下りリンクパスロスの補償係数を用いて、上りリンク信号の送信電力を調整する機能を備えても良い。
【０１５７】
図１０は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、無線リソース制御層処理部３６を含んで構成される。無線送受信部３０を送信部、受信部、モニタ部、または、物理層処理部とも称する。また様々な条件に基づき各部の動作を制御する制御部を別途備えてもよい。上位層処理部３４を、端末制御部とも称する。
【０１５８】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。上位層処理部３４は、無線送受信部３０で受信したランダムアクセスプリアンブルに基づいて、１つまたは複数の参照信号から１つの参照信号を特定する機能を有してもよい。上位層処理部３４は、少なくともＳＳＢインデックス情報とマスクインデックス情報とからランダムアクセスプリアンブルをモニタするＰＲＡＣＨ機会を特定してもよい
上位層処理部３４が備える媒体アクセス制御層処理部３５は、ＭＡＣレイヤの処理を行なう。媒体アクセス制御層処理部３５は、無線リソース制御層処理部３６によって管理されている各種設定情報／パラメータに基づいて、スケジューリングリクエストに関する処理を行う。
【０１５９】
上位層処理部３４が備える無線リソース制御層処理部３６は、ＲＲＣレイヤの処理を行なう。無線リソース制御層処理部３６は、物理下りリンク共用チャネルに配置される下りリンクデータ（トランスポートブロック）、システム情報、ＲＲＣメッセージ、ＭＡＣ  ＣＥ（Control Element）などを生成し、又は上位ノードから取得し、無線送受信部３０
に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。無線リソース制御層処理部３６は、あるセルにおける複数の参照信号の設定を特定するための情報を送信／報知してもよい。
【０１６０】
基地局装置３から端末装置１にＲＲＣメッセージ、ＭＡＣ  ＣＥ、および／またはＰＤＣＣＨを送信し、端末装置１がその受信に基づいて処理を行う場合、基地局装置３は、端末装置が、その処理を行っていることを想定して処理（端末装置１やシステムの制御）を行う。すなわち、基地局装置３は、端末装置にその受信に基づく処理を行わせるようにす
るＲＲＣメッセージ、ＭＡＣ  ＣＥ、および／またはＰＤＣＣＨを端末装置１に送っている。
【０１６１】
無線送受信部３０は、１つまたは複数の参照信号を送信する機能を有する。また、無線送受信部３０は、端末装置１から送信されたビーム失敗リカバリ要求を含む信号を受信する機能を有してもよい。無線送受信部３０は、端末装置１に１つまたは複数のＰＲＡＣＨ機会を特定する情報（例えば、ＳＳＢインデックス情報および／またはマスクインデックス情報）を送信する機能を有してもよい。無線送受信部３０は、所定のインデックスを特定する情報を送信する機能を有してもよい。無線送受信部３０は、ランダムアクセスプリアンブルのインデックスを特定する情報を送信する機能を有してもよい。無線送受信部３０は、上位層処理部３４で特定されたＰＲＡＣＨ機会でランダムアクセスプリアンブルをモニタする機能を有してもよい。その他、無線送受信部３０の一部の機能は、無線送受信部１０と同様であるため説明を省略する。なお、基地局装置３が１つまたは複数の送受信点４と接続している場合、無線送受信部３０の機能の一部あるいは全部が、各送受信点４に含まれてもよい。
【０１６２】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図１０において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、上位層処理部３４には、無線リソース管理（Ｒａｄｉｏ  Ｒｅｓｏｕｒｃｅ  Ｍａｎａｇｅｍｅｎｔ）層処理部や、アプリケーション層処理部が存在している。また上位層処理部３４は、無線送受信部３０から送信する複数の参照信号のそれぞれに対応する複数のスケジューリング要求リソースを設定する機能を有してもよい。
【０１６３】
なお、図中の「部」とは、セクション、回路、構成装置、デバイス、ユニットなど用語によっても表現される、端末装置１および基地局装置３の機能および各手順を実現する要素である。
【０１６４】
端末装置１が備える符号１０から符号１６が付された部のそれぞれは、回路として構成されてもよい。基地局装置３が備える符号３０から符号３６が付された部のそれぞれは、回路として構成されてもよい。
【０１６５】
（１）より具体的には、本発明の第１の態様における通信方法は、端末装置の通信方法であって、サウンディング参照信号のパラメータと送信電力制御に適用するパラメータを含む上位レイヤ設定を受信し、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメータに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い、サウンディング参照信号を送信する。
【０１６６】
（２）本発明の第２の態様における通信方法は、前記空間関係情報は、前記パスロスリファレンス参照信号は、受信した上位レイヤ設定にパネルIDに関する情報を含まない場合に、サウンディング参照信号リソースセットIDにより特定され、前記パスロスリファレンス参照信号を用いて下りリンクパスロス見積もりを算出し、電力制御を行い、サウンディング参照信号を送信する。
【０１６７】
（３）本発明の第３の態様における通信方法は、基地局装置の通信方法であって、端末装置にサウンディング参照信号のパラメータと送信電力制御に適用するパラメータを含む上位レイヤ設定を送信し、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメータに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い送信される、サウンディング参照信号を受信する。
【０１６８】
（４）本発明の第４の態様における端末装置は、サウンディング参照信号のパラメータと送信電力制御に適用するパラメータを含む上位レイヤ設定を受信する受信部と、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメータに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い、サウンディング参照信号を送信する送信部と、を備える。
【０１６９】
（５）本発明の第５の態様における基地局装置は、端末装置にサウンディング参照信号のパラメータと送信電力制御に適用するパラメータを含む上位レイヤ設定を送信する送信部と、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメータに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い送信される、サウンディング参照信号を受信する受信部と、を備える。
【０１７０】
（６）本発明の第６の態様における集積回路は、端末装置に実装される集積回路であって、サウンディング参照信号のパラメータと送信電力制御に適用するパラメータを含む上位レイヤ設定を受信する受信手段と、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウン
ディング参照信号のパラメータに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い、サウンディング参照信号を送信する送信手段と、を備える。
【０１７１】
（７）本発明の第７の態様における集積回路は、基地局装置に実装される集積回路であって、端末装置にサウンディング参照信号のパラメータと送信電力制御に適用するパラメータを含む上位レイヤ設定を送信する送信手段と、一つまたは複数のパスロスリファレンス参照信号のパラメータが送信電力制御に適用するパラメータに含まれ、パネルIDとサウンディング参照信号リソースセットIDとサウンディング参照信号リソースIDの少なくとも1つがサウンディング参照信号のパラメータに含まれ、前記パネルIDと前記サウンディング参照信号リソースIDの組み合わせによりパスロスリファレンス参照信号を特定し、前記パスロスリファレンス参照信号を用いて下りリンクパスロス見積もりを算出し、サウンディング参照信号の電力制御を行い送信される、サウンディング参照信号を受信する受信手段と、を備える。
【０１７２】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１７３】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１７４】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１７５】
なお、本発明に関わる実施形態では、基地局装置と端末装置で構成される通信システムに適用される例を記載したが、Ｄ２Ｄ（Device to Device）のような、端末同士が通信を行うシステムにおいても適用可能である。
【０１７６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１７７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１７８】
１（１Ａ、１Ｂ）  端末装置
３  基地局装置
４  送受信点（ＴＲＰ）
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
５０  送信ユニット（ＴＸＲＵ）
５１  位相シフタ
５２  アンテナエレメント
【図１】
2020136759.tif 000003
【図２】
2020136759.tif 000004
【図３】
2020136759.tif 000005
【図４】
2020136759.tif 000006
【図５】
2020136759.tif 000007
【図６】
2020136759.tif 000008
【図７】
2020136759.tif 000009
【図８】
2020136759.tif 000010
【図９】
2020136759.tif 000011
【図１０】
2020136759.tif 000012